(57)【要約】【課題】応答速度を向上させ、かつ画素間の境界での液晶の配向安定性を向上させて、面内の表示品質を向上する液晶表示装置及び液晶表示装置を備えた電子機器を提供する。【解決手段】液晶表示装置は、対向する第１の基板及び第２の基板の間に液晶層を有する液晶表示装置であって、第１の基板は、第１電極と第２電極とを有し、第１電極又は第２電極の一方が画素毎に区画された画素電極である。第１電極は、第１の方向に延びる電極基部と、当該第１の方向と異なる第２の方向に延び、かつ互いに一定距離を隔てて電極基部から櫛歯状に複数突出する櫛歯部とを含む。隣り合う櫛歯部の中には、画素間の境界寄りの一方の櫛歯部の第１長辺が他の櫛歯部の第１長辺と非平行である関係を有する隣り合う櫛歯部を含む。【選択図】図１１
2015114493.tif 000002
【特許請求の範囲】
【請求項１】
対向する第１の基板及び第２の基板の間に液晶層を有する液晶表示装置であって、
前記第１の基板は、第１電極と第２電極とを有し、前記第１電極又は前記第２電極の一方が画素毎に備えられた画素電極であり、
前記第１電極は、第１の方向に延びる電極基部と、当該第１の方向と異なる第２の方向に延び、かつ互いに一定距離を隔てて前記電極基部から櫛歯状に複数突出する櫛歯部とを含み、
隣り合う前記櫛歯部の中には、前記画素間の境界寄りの一方の櫛歯部の第１長辺が他の櫛歯部の第１長辺と非平行である関係を有する隣り合う前記櫛歯部を含む、液晶表示装置。
【請求項２】
前記一方の櫛歯部の第１長辺は、前記他方の櫛歯部の第１長辺よりも基準方向に対してなす角度が大きい、請求項１に記載の液晶表示装置。
【請求項３】
前記複数の櫛歯部は、前記一方の櫛歯部に近い順に、当該櫛歯部の第１長辺と前記基準方向との角度が大きくなる、請求項２に記載の液晶表示装置。
【請求項４】
前記一方の櫛歯部の第１長辺は、前記基準方向に対してなす角度が大きくなるような屈曲部を有している請求項２又は請求項３に記載の液晶表示装置。
【請求項５】
前記第１電極と前記第２電極とは、前記液晶層を駆動する横電界を発生させる位置に配置されている、請求項１乃至請求項４のいずれか１項に記載の液晶表示装置。
【請求項６】
前記第１電極は、絶縁層を介して前記第２電極の上に積層されている、請求項１乃至請求項５のいずれか１項に記載の液晶表示装置。
【請求項７】
前記液晶層は、前記第１電極と前記第２電極との間に電圧が印加される場合、隣り合う前記櫛歯部間のスリットの幅方向において対向する前記櫛歯部の長辺のうち一方の前記第１長辺の近傍領域にある液晶分子と、前記対向する前記櫛歯部の長辺のうち他方の第２長辺の近傍領域にある液晶分子とが互いに逆方向に回転する、請求項１乃至請求項６のいずれか１項に記載の液晶表示装置。
【請求項８】
前記第１の基板は、前記第１電極と前記液晶層との間の第１配向膜を有し、前記第２の基板は、前記液晶層との間に第２配向膜を有し、
前記第１配向膜は、前記第２の方向と平行方向である第１配向方向に配向処理され、
前記第２配向膜は、前記第１配向膜の前記第１配向方向と逆方向である第２配向方向に配向処理され、
前記液晶層の液晶の初期配向状態として、前記第１配向方向に前記液晶層の液晶分子の長軸が並び、
前記第１電極及び前記第２電極に対して電圧が印加されていない場合、前記液晶分子の長軸が前記第１配向方向に並んで配向している、請求項１乃至請求項６のいずれか１項に液晶表示装置。
【請求項９】
前記第１電極と前記第２電極との間に電圧が印加される場合、前記液晶分子の長軸方向は、前記スリットの幅方向で対向する前記櫛歯部の長辺のうち一方の近傍領域において回転方向が右回りに、かつ他方の近傍領域において回転方向が左回りに、前記第１基板の面内方向で回転しながら、前記第１基板に対して垂直な方向に立ち上がるように配向する、請求項８に記載の液晶表示装置。
【請求項１０】
前記第１電極又は前記第２電極の一方が画素毎に区画された画素電極であり、
前記画素電極は、行列状に配列され、
前記第２の方向は、前記画素電極が行又は列に配列される方向と異なる、請求項１乃至請求項９のいずれか１項に記載の液晶表示装置。
【請求項１１】
請求項１乃至請求項１０のいずれか１項に記載の液晶表示装置と、
前記液晶表示装置に入力信号を供給する制御装置と、を有する電子機器。
【発明の詳細な説明】
【技術分野】
【０００１】
本発明は、液晶を備える液晶表示装置に関する。また、本発明は、液晶を備える液晶表示装置を備えた電子機器に関する。
【背景技術】
【０００２】
液晶を駆動する方式（モード）として、基板間に縦方向に発生する電界、いわゆる縦電界を用いる液晶駆動方式が知られている。このような縦電界を用いて液晶を駆動する液晶表示装置として、ＴＮ（Twisted  Nematic：ツイステッドネマティック）、ＶＡ（Vertical  Alignment：垂直配向）及びＥＣＢ（Electrically  Controlled  Birefringence：電界制御複屈折）等の縦電界型の液晶表示装置が知られている。また、特許文献１に記載されているように、液晶を駆動する方式として、基板に対して平行な方向（横方向）に発生する電界、いわゆる横電界を用いる液晶駆動方式も知られている。このような横電界を用いて液晶を駆動する液晶表示装置として、ＦＦＳ（Fringe  Field  Switching：フリンジフィールドスイッチング）及びＩＰＳ（In  Plane  Switching：インプレーンスイッチング）等の横電界型の液晶表示装置も知られている。
【０００３】
ＩＰＳモードでは第１の電極と第２の電極とが同層に設けられており、電界は主に基板面と平行な方向に発生する。このため、第１の電極のすぐ上の領域には電界が形成され難く、当該領域の液晶分子は駆動し難い。
【０００４】
ＦＦＳモードでは、基板面に垂直な方向に誘電体膜を介して画素電極と共通電極とが重畳して設けられており、主に基板面に対して斜め方向又は放物線状の電界（フリンジ電界ともいう）が発生する。このため、画素電極の直上の領域の液晶分子も駆動し易い。即ち、ＦＦＳモードではＩＰＳモードよりも高い開口率が得られる。
【０００５】
上述した横電界型の液晶装置では、第１電極と第２電極との間で、かつ基板に対して平行方向に電界を発生させることにより液晶分子を基板面と平行な面内で回転させ、その液晶分子の回転に対応した光透過率変化を利用して表示が行われる。横電界型の液晶表示装置は、液晶の応答速度を向上させることが求められている。
【０００６】
特許文献２には、特許文献１より液晶の応答速度を向上させた液晶表示装置が記載されている。
【先行技術文献】
【特許文献】
【０００７】
【特許文献１】特開２００８−５２１６１号公報
【特許文献２】特開２０１３−１０９３０９号公報
【発明の概要】
【発明が解決しようとする課題】
【０００８】
上述した特許文献２の液晶装置では、液晶の応答速度は向上するものの、画素間の境界部分で回転方向が不安定となり、液晶の配向がばらつく可能性がある。
【０００９】
本発明はかかる問題点に鑑みてなされたもので、応答速度を向上させ、かつ画素間の境界での液晶の配向安定性を向上させて、面内の表示品質を向上する液晶表示装置及び液晶表示装置を備えた電子機器を提供することを目的とする。
【課題を解決するための手段】
【００１０】
本発明の一態様に係る液晶表示装置は、対向する第１の基板及び第２の基板の間に液晶層を有する液晶表示装置であって、前記第１の基板は、第１電極と第２電極とを有し、前記第１電極又は前記第２電極の一方が画素毎に備えられた画素電極であり、前記第１電極は、第１の方向に延びる電極基部と、当該第１の方向と異なる第２の方向に延び、かつ互いに一定距離を隔てて前記電極基部から櫛歯状に複数突出する櫛歯部とを含み、隣り合う前記櫛歯部の中には、前記画素間の境界寄りの一方の櫛歯部の第１長辺が他の櫛歯部の第１長辺と非平行である関係を有する隣り合う前記櫛歯部を含む。
【００１１】
望ましい一態様として、前記一方の櫛歯部の第１長辺は、前記他方の櫛歯部の第１長辺よりも基準方向に対してなす角度が大きいことが好ましい。
【００１２】
望ましい一態様として、前記複数の櫛歯部は、前記一方の櫛歯部に近い順に、当該櫛歯部の第１長辺と前記基準方向との角度が大きくなることが好ましい。
【００１３】
望ましい一態様として、前記一方の櫛歯部の第１長辺は、前記基準方向に対してなす角度が大きくなるような屈曲部を有していることが好ましい。
【００１４】
望ましい一態様として、前記第１電極と前記第２電極とは、前記液晶層を駆動する横電界を発生させる位置に配置されている、ことが好ましい。
【００１５】
望ましい一態様として、前記第１電極は、絶縁層を介して前記第２電極の上に積層されている、ことが好ましい。
【００１６】
望ましい一態様として、前記液晶層は、前記第１電極と前記第２電極との間に電圧が印加される場合、隣り合う前記櫛歯部間のスリットの幅方向において対向する前記櫛歯部の長辺のうち一方の前記第１長辺の近傍領域にある液晶分子と、前記対向する前記櫛歯部の長辺のうち他方の第２長辺の近傍領域にある液晶分子とが互いに逆方向に回転することが好ましい。
【００１７】
望ましい一態様として、前記第１の基板は、前記第１電極と前記液晶層との間の第１配向膜を有し、前記第２の基板は、前記液晶層との間に第２配向膜を有し、前記第１配向膜は、前記第２の方向と平行方向である第１配向方向に配向処理され、前記第２配向膜は、前記第１配向膜の前記第１配向方向と逆方向である第２配向方向に配向処理され、前記液晶層の液晶の初期配向状態として、前記第１配向方向に前記液晶層の液晶分子の長軸が並び、前記第１電極及び前記第２電極に対して電圧が印加されていない場合、前記液晶分子の長軸が前記第１配向方向に並んで配向している、ことが好ましい。
【００１８】
望ましい一態様として、前記第１電極と前記第２電極との間に電圧が印加される場合、前記液晶分子の長軸方向は、前記スリットの幅方向で対向する前記櫛歯部の長辺のうち一方の近傍領域において回転方向が右回りに、かつ他方の近傍領域において回転方向が左回りに、前記第１基板の面内方向で回転しながら、前記第１基板に対して垂直な方向に立ち上がるように配向する、ことが好ましい。
【００１９】
望ましい一態様として、前記第１電極又は前記第２電極の一方が画素毎に区画された画素電極であり、前記画素電極は、行列状に配列され、前記第２の方向は、前記画素電極が行又は列に配列される方向と異なる、ことが好ましい。
【００２０】
望ましい一態様として、電子機器は、上述した液晶表示装置を備え、前記液晶表示装置に入力信号を供給する制御装置と、を有することが好ましい。
【図面の簡単な説明】
【００２１】
【図１】図１は、実施形態１に係る液晶表示装置のシステム構成例を表すブロック図である。
【図２】図２は、実施形態１に係る液晶表示装置の画素を駆動する駆動回路を示す回路図である。
【図３】図３は、実施形態１に係る液晶表示装置の画素を説明するための平面図である。
【図４】図４は、図３のＡ１−Ａ２線断面を示す模式図である。
【図５】図５は、実施形態１に係る第１電極の形状と開口部との関係を説明するための模式図である。
【図６】図６は、実施形態１に係る第１電極の形状と遮光位置との関係を説明するための模式図である。
【図７】図７は、実施形態１に係る液晶表示装置において、第１電極と第２電極との間に電界を発生させる電圧が印加されない状態での液晶の配向を説明するための説明図である。
【図８】図８は、図７のＢ１−Ｂ２断面を示す模式図である。
【図９】図９は、実施形態１に係る液晶表示装置において、第１電極と第２電極との間に電界を発生させる電圧が印加されない状態での液晶の配向を説明するための説明図である。
【図１０】図１０は、図９のＣ１−Ｃ２線断面を示す模式図である。
【図１１】図１１は、実施形態１に係る画素内の第１電極の形状を詳細に説明するための模式図である。
【図１２】図１２は、実施形態１に係る画素内の第１電極の形状と画素間の第１電極の形状を説明するための模式図である。
【図１３】図１３は、図３のＡ１−Ａ２線断面の変形例を示す模式図である。
【図１４】図１４は、実施形態１に係る第１電極の形状と開口部との関係の変形例を説明するための模式図である。
【図１５】図１５は、実施形態２に係る液晶表示装置の画素を説明するための平面図である。
【図１６】図１６は、図１５のＥ１−Ｅ２線断面を示す模式図である。
【図１７】図１７は、実施形態２に係る画素内の第１電極の形状と画素間の第１電極の形状を説明するための模式図である。
【図１８】図１８は、実施形態２の変形例１に係る第１電極の形状と開口部との関係を説明するための模式図である。
【図１９】図１９は、図１５のＥ１−Ｅ２線断面の変形例を示す模式図である。
【図２０】図２０は、実施形態２に係る第１電極の形状と開口部との関係の変形例を説明するための模式図である。
【図２１】図２１は、実施形態２の変形例３に係る画素内の第１電極の形状と画素間の第１電極の形状を説明するための模式図である。
【図２２】図２２は、実施形態２の変形例４に係る第１電極の形状と遮光位置との関係を説明するための模式図である。
【図２３】図２３は、図２２の面内輝度分布の一例を示す説明図である。
【図２４】図２４は、図２３のＦ１−Ｆ２線断面の明るさ分布を示す説明図である。
【図２５】図２５は、櫛歯部の長辺の傾斜する角度θが０度の場合、櫛歯部の突出長さと配列ピッチ（スリットピッチ）との関係について説明する説明図である。
【図２６】図２６は、櫛歯部の長辺の傾斜する角度θが０．５度の場合、櫛歯部の突出長さと配列ピッチ（スリットピッチ）との関係について説明する説明図である。
【図２７】図２７は、櫛歯部の長辺の傾斜する角度θが１度の場合、櫛歯部の突出長さと配列ピッチ（スリットピッチ）との関係について説明する説明図である。
【図２８】図２８は、配列ピッチ（スリットピッチ）と応答時間との関係について説明する説明図である。
【図２９】図２９は、櫛歯部の長辺の傾斜する角度θと櫛歯部の突出長さとの関係について説明する説明図である。
【図３０】図３０は、櫛歯部の先端の位置における透過率を説明するための説明図である。
【図３１】図３１は、リタデーションとセル厚との関係を説明するための説明図である。
【図３２】図３２は、リタデーションと明るさ（透過率）との関係を説明するための説明図である。
【図３３】図３３は、液晶の弾性特性について説明するための説明図である。
【図３４】図３４は、櫛歯部の幅と最大透磁率との関係について説明するための説明図である。
【図３５】図３５は、櫛歯部の幅が３μｍの透過率を明るさ１と規格化した場合、複数の櫛歯部の幅と電圧との関係について説明するための説明図である。
【図３６】図３６は、図３５を部分的に拡大した部分拡大図である。
【図３７】図３７は、本実施形態に係る液晶表示装置を適用する電子機器の一例を示す図である。
【図３８】図３８は、本実施形態に係る液晶表示装置を適用する電子機器の一例を示す図である。
【図３９】図３９は、本実施形態に係る液晶表示装置を適用する電子機器の一例を示す図である。
【図４０】図４０は、本実施形態に係る液晶表示装置を適用する電子機器の一例を示す図である。
【図４１】図４１は、本実施形態に係る液晶表示装置を適用する電子機器の一例を示す図である。
【図４２】図４２は、本実施形態に係る液晶表示装置を適用する電子機器の一例を示す図である。
【図４３】図４３は、本実施形態に係る液晶表示装置を適用する電子機器の一例を示す図である。
【図４４】図４４は、本実施形態に係る液晶表示装置を適用する電子機器の一例を示す図である。
【図４５】図４５は、本実施形態に係る液晶表示装置を適用する電子機器の一例を示す図である。
【発明を実施するための形態】
【００２２】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。なお、説明は以下の順序で行う。
１．実施の形態（液晶表示装置）
２．適用例（電子機器）
上記実施の形態に係る液晶表示装置が電子機器に適用されている例
【００２３】
＜１．実施形態（液晶表示装置）＞
図１は、本実施形態に係る液晶表示装置のシステム構成例を表すブロック図である。なお、表示装置１が本発明の「液晶表示装置」の一具体例に相当する。
【００２４】
表示装置１は、透過型の液晶表示装置であり、表示パネル２と、ドライバＩＣ３と、を備えている。図示しないフレキシブルプリント基板（ＦＰＣ：Flexible  Printed  Circuits）は、ドライバＩＣ３への外部信号又はドライバＩＣ３を駆動する駆動電力を伝送する。表示パネル２は、透光性絶縁基板、例えばガラス基板１１と、ガラス基板１１の表面にあり、液晶セルを含む画素がマトリクス状（行列状）に多数配置されてなる表示エリア部２１と、水平ドライバ（水平駆動回路）２３と、垂直ドライバ（垂直駆動回路）２２と、を備えている。ガラス基板１１は、能動素子（例えば、トランジスタ）を含む多数の画素回路がマトリクス状に配置形成される第１の基板と、この第１の基板と所定の間隙をもって対向して配置される第２の基板とによって構成される。第１の基板と第２の基板との間隙は、第１の基板上の各所に配置形成されるフォトスペーサによって所定の間隙に保持される。そして、これら第１の基板及び第２の基板間に液晶が封入される。
【００２５】
（液晶表示装置のシステム構成例）
表示パネル２は、ガラス基板１１上に、表示エリア部２１と、インターフェース（Ｉ／Ｆ）及びタイミングジェネレータの機能を備えるドライバＩＣ３と、垂直ドライバ２２及び水平ドライバ２３と、を備えている。
【００２６】
表示エリア部２１は、液晶層を含む画素Ｖｐｉｘが、表示上の１画素を構成するユニットがＭ行×Ｎ列に配置されたマトリクス（行列状）構造を有している。なお、この明細書において、行とは、一方向に配列されるＮ個の画素Ｖｐｉｘを有する画素行をいう。また、列とは、行が配列される方向と直交する方向に配列されるＭ個の画素Ｖｐｉｘを有する画素列をいう。そして、ＭとＮとの値は、垂直方向の表示解像度と水平方向の表示解像度に応じて定まる。表示エリア部２１は、画素ＶｐｉｘのＭ行Ｎ列の配列に対して行毎に走査線２４１、２４２、２４３・・・２４Ｍが配線され、列毎に信号線２５１、２５２、２５３・・・２５Ｎが配線されている。以後、本実施形態においては、走査線２４１、２４２、２４３・・・２４Ｍを代表して走査線２４のように表記し、信号線２５１、２５２、２５３・・・２５Ｎを代表して信号線２５のように表記することがある。また、本実施形態においては、走査線２４１、２４２、２４３・・・２４Ｍの任意の３本の走査線を、走査線２４ｍ、２４ｍ＋１、２４ｍ＋２（ただし、ｍは、ｍ≦Ｍ−２を満たす自然数）のように表記し、信号線２５１、２５２、２５３・・・２５ｎの任意の４本の信号線を、信号線２５ｎ、２５ｎ＋１、２５ｎ＋２、２５ｎ＋３（ただし、ｎは、ｎ≦Ｎ−３を満たす自然数）のように表記する。
【００２７】
表示装置１には、外部から外部信号である、マスタークロック、水平同期信号及び垂直同期信号が入力され、ドライバＩＣ３に与えられる。ドライバＩＣ３は、外部電源の電圧振幅のマスタークロック、水平同期信号及び垂直同期信号を、液晶の駆動に必要な内部電源の電圧振幅にレベル変換し、マスタークロック、水平同期信号及び垂直同期信号を生成する。ドライバＩＣ３は、生成したマスタークロック、水平同期信号及び垂直同期信号をそれぞれ垂直ドライバ２２及び水平ドライバ２３に与える。ドライバＩＣ３は、画素Ｖｐｉｘ毎の後述する共通電極ＣＯＭに対して各画素共通に与えるコモン電位を生成して表示エリア部２１に与える。
【００２８】
垂直ドライバ２２は、垂直クロックパルスに同期してドライバＩＣ３から出力される表示データを１水平期間で順次サンプリングしラッチする。垂直ドライバ２２は、ラッチされた１ライン分のデジタルデータを垂直走査パルスとして順に出力し、表示エリア部２１の走査線２４ｍ、２４ｍ＋１、２４ｍ＋２・・・に与えることによって画素Ｖｐｉｘを行単位で順次選択する。垂直ドライバ２２は、例えば、走査線２４ｍ、２４ｍ＋１、２４ｍ＋２・・・の表示エリア部２１の上寄り、垂直走査上方向から、表示エリア部２１の下寄り、垂直走査下方向へ順にデジタルデータを出力する。また、垂直ドライバ２２は、走査線２４ｍ、２４ｍ＋１、２４ｍ＋２・・・の表示エリア部２１の下寄り、垂直走査下方向から、表示エリア部２１の上寄り、垂直走査上方向へ順にデジタルデータを出力することもできる。
【００２９】
水平ドライバ２３には、例えば６ビットのＲ（赤）、Ｇ（緑）、Ｂ（青）のデジタル映像データＶｓｉｇが与えられる。水平ドライバ２３は、垂直ドライバ２２による垂直走査によって選択された行の各画素Ｖｐｉｘに対して、画素毎に、若しくは複数画素毎に、或いは全画素一斉に、信号線２５を介して表示データを書き込む。
【００３０】
表示装置１は、液晶素子に同極性の直流電圧が印加され続けることによって液晶の比抵抗（物質固有の抵抗値）等が劣化する可能性がある。表示装置１は、液晶の比抵抗（物質固有の抵抗値）等の劣化を防ぐため、駆動信号のコモン電位を基準として映像信号の極性を所定の周期で反転させる駆動方式が採られる。
【００３１】
この液晶表示パネルの駆動方式として、ライン反転、ドット反転、フレーム反転などの駆動方式が知られている。ライン反転は、１ライン（１画素行）に相当する１Ｈ（Ｈは水平期間）の時間周期で映像信号の極性を反転させる駆動方式である。ドット反転は、互いに隣接する上下左右の画素毎に映像信号の極性を交互に反転させる駆動方式である。フレーム反転は、１画面に相当する１フレーム毎に全画素に書き込む映像信号を一度に同じ極性で反転させる駆動方式である。表示装置１は、上記の各駆動方式のいずれを採用することも可能である。
【００３２】
図２は、実施形態１に係る表示装置の画素を駆動する駆動回路を示す回路図である。表示エリア部２１には、各画素Ｖｐｉｘの薄膜トランジスタ（ＴＦＴ：Thin  Film  Transistor）素子Ｔｒに表示データとして画素信号を供給する信号線２５ｎ、２５ｎ＋１、２５ｎ＋２、各ＴＦＴ素子Ｔｒを駆動する走査線２４ｍ、２４ｍ＋１、２４ｍ＋２等の配線が形成されている。このように、信号線２５ｎ、２５ｎ＋１、２５ｎ＋２は、上述したガラス基板１１の表面と平行な平面に延在し、画素Ｖｐｉｘに画像を表示するための画素信号を供給する。画素Ｖｐｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソース又はドレインの一方は信号線２５ｎ、２５ｎ＋１、２５ｎ＋２に接続され、ゲートは走査線２４ｍ、２４ｍ＋１、２４ｍ＋２に接続され、ソース又はドレインの他方は液晶素子ＬＣの一端に接続されている。液晶素子ＬＣは、一端がＴＦＴ素子Ｔｒのソース又はドレインの他方に接続され、他端が共通電極ＣＯＭに接続されている。
【００３３】
画素Ｖｐｉｘは、走査線２４ｍ、２４ｍ＋１、２４ｍ＋２により、表示エリア部２１の同じ行に属する他の画素Ｖｐｉｘと互いに接続されている。走査線２４ｍ、２４ｍ＋１、２４ｍ＋２は、垂直ドライバ２２と接続され、垂直ドライバ２２から走査信号の垂直走査パルスが供給される。また、画素Ｖｐｉｘは、信号線２５ｎ、２５ｎ＋１、２５ｎ＋２により、表示エリア部２１の同じ列に属する他の画素Ｖｐｉｘと互いに接続されている。信号線２５ｎ、２５ｎ＋１、２５ｎ＋２は、水平ドライバ２３と接続され、水平ドライバ２３より画素信号が供給される。さらに、画素Ｖｐｉｘは、共通電極ＣＯＭにより、表示エリア部２１の同じ列に属する他の画素Ｖｐｉｘと互いに接続されている。共通電極ＣＯＭは、不図示の駆動電極ドライバと接続され、駆動電極ドライバより駆動信号が供給される。
【００３４】
図１に示す垂直ドライバ２２は、垂直走査パルスを、図２に示す走査線２４ｍ、２４ｍ＋１、２４ｍ＋２を介して、画素ＶｐｉｘのＴＦＴ素子Ｔｒのゲートに印加することにより、表示エリア部２１にマトリクス状に形成されている画素Ｖｐｉｘのうちの１行（１水平ライン）を表示駆動の対象として順次選択する。図１に示す水平ドライバ２３は、画素信号を、図２に示す信号線２５ｎ、２５ｎ＋１、２５ｎ＋２を介して、垂直ドライバ２２により順次選択される１水平ラインを含む各画素Ｖｐｉｘにそれぞれ供給する。そして、これらの画素Ｖｐｉｘでは、供給される画素信号に応じて、１水平ラインの表示が行われるようになっている。駆動電極ドライバは、駆動信号を印加し、所定の本数の共通電極ＣＯＭを含む駆動電極ブロック毎に共通電極ＣＯＭを駆動する。
【００３５】
上述したように、表示装置１は、垂直ドライバ２２が走査線２４ｍ、２４ｍ＋１、２４ｍ＋２を順次走査するように駆動することにより、１水平ラインが順次選択される。また、表示装置１は、１水平ラインに属する画素Ｖｐｉｘに対して、水平ドライバ２３が画素信号を供給することにより、１水平ラインずつ表示が行われる。この表示動作を行う際、駆動電極ドライバは、その１水平ラインに対応する共通電極ＣＯＭに対して駆動信号を印加するようになっている。
【００３６】
また、表示エリア部２１は、カラーフィルタを有する。カラーフィルタは、格子形状のブラックマトリクス７６ａと、開口部７６ｂと、を有する。ブラックマトリクス７６ａは、図２に示すように画素Ｖｐｉｘの外周を覆うように形成されている。つまり、ブラックマトリクス７６ａは、二次元配置された画素Ｖｐｉｘと画素Ｖｐｉｘとの境界に配置されることで、格子形状となる。ブラックマトリクス７６ａは、光の吸収率が高い材料で形成されている。開口部７６ｂは、ブラックマトリクス７６ａの格子形状で形成されている開口であり、画素Ｖｐｉｘに対応して配置されている。
【００３７】
開口部７６ｂは、例えば、赤（Ｒ）、緑（Ｇ）、青（Ｂ）の３色に着色された色領域を含む。カラーフィルタは、開口部７６ｂに例えば赤（Ｒ）、緑（Ｇ）、青（Ｂ）の３色に着色されたカラーフィルタの色領域を周期的に配列して、図２に示す各画素ＶｐｉｘにＲ、Ｇ、Ｂの３色の色領域が１組として画素Ｐｉｘとして対応付けられている。
【００３８】
なお、カラーフィルタは、異なる色に着色されていれば、他の色の組み合わせであってもよい。一般に、カラーフィルタは、緑（Ｇ）の色領域の輝度が、赤（Ｒ）の色領域及び青（Ｂ）の色領域の輝度よりも高い。カラーフィルタは、なくてもよく、この場合白色となる。或いは、カラーフィルタに光透過性の樹脂を用いて白色としてもよい。
【００３９】
表示エリア部２１は、正面に直交する方向からみた場合、走査線２４と信号線２５がカラーフィルタのブラックマトリクス７６ａと重なる領域に配置されている。つまり、走査線２４及び信号線２５は、正面に直交する方向からみた場合、ブラックマトリクス７６ａの後ろに隠されることになる。また、表示エリア部２１は、ブラックマトリクス７６ａが配置されていない領域が開口部７６ｂとなる。
【００４０】
図２に示すように、走査線２４ｍ、２４ｍ＋１、２４ｍ＋２が等間隔で配置され、信号線２５ｎ、２５ｎ＋１、２５ｎ＋２も等間隔で配置されている。そして、各画素Ｖｐｉｘは、走査線２４ｍ、２４ｍ＋１、２４ｍ＋２と信号線２５ｎ、２５ｎ＋１、２５ｎ＋２とで区画される領域に、同じ方向を向いて配置されている。
【００４１】
図３は、実施形態１に係る液晶表示装置の画素を説明するための平面図である。各画素Ｖｐｉｘは、垂直走査下方向（図中下方向）に開口部７６ｂが形成され、垂直走査上方向（図中上方向）左側にＴＦＴ素子Ｔｒが配置され、垂直走査上方向（図中上方向）右側にＴＦＴ素子Ｔｒのドレイン電極に画素電極が接続されるコンタクト９０Ｈが形成されている。なお、ＴＦＴ素子Ｔｒのドレインとは、半導体層（活性層）の一部とドレイン電極９０を含む。同様に、ＴＦＴ素子Ｔｒのソースとは、半導体層（活性層）の別の一部とソース電極９１を含む。カラーフィルタ７６Ｒ、７６Ｇ及び７６Ｂは、開口部７６ｂに例えば赤（Ｒ）、緑（Ｇ）、青（Ｂ）の３色に着色されたカラーフィルタの色領域を周期的に配列して、図２に示す各画素Ｖｐｉｘ毎に、Ｒ、Ｇ、Ｂの３色の色領域を形成している。
【００４２】
図４は、図３のＡ１−Ａ２線断面を示す模式図である。表示装置１は、図４に示すように、画素基板（第１の基板）７０Ａと、この画素基板７０Ａの表面に垂直な方向に対向して配置された対向基板（第２の基板）７０Ｂと、画素基板７０Ａと対向基板７０Ｂとの間に挿設された液晶層７０Ｃとを備えている。なお、画素基板７０Ａの液晶層７０Ｃとは反対側の面には、バックライト（図示せず）が配置されている。なお、フォトスペーサ（図示せず）が画素基板７０Ａと対向基板７０Ｂとの間隙を所定の間隙に保持している。
【００４３】
実施形態１に係る液晶層７０Ｃは、画素基板７０ＡのＴＦＴ基板７１の表面に垂直な方向（Ｚ方向）に積層された第１電極３１と第２電極３２との間で、かつＴＦＴ基板７１に対して平行方向に電界（横電界）を発生させることにより、液晶層７０Ｃの液晶分子を基板面と平行な面内で回転させ、液晶分子の回転に対応した光透過率変化を利用して表示が行われる。例えば、図４に示す第２電極３２は上述した画素電極であり、第１電極３１は、上述した共通電極ＣＯＭである。また、図４に示す液晶層７０Ｃと画素基板７０Ａとの間、及び液晶層７０Ｃと対向基板７０Ｂとの間には、それぞれ第１配向膜７３ａ及び第２配向膜７３ｂが配設されている。
【００４４】
対向基板７０Ｂは、ガラス基板７２と、このガラス基板７２の一方の面に形成された遮光性のブラックマトリクス７６ａと、を含む。ブラックマトリクス７６ａは、画素基板７０Ａと垂直な方向において、液晶層７０Ｃと対向する。
【００４５】
画素基板７０Ａは、回路基板としてのＴＦＴ基板７１を含む。ＴＦＴ基板７１上には、図３に示す走査線２４ｍが形成されている。走査線２４ｍは、ゲート電極９３が電気的に接続されている。
【００４６】
ＴＦＴ素子Ｔｒを構成するアモルファスシリコン（ａ−Ｓｉ）を含む半導体層９２は、ゲート電極９３の上層に形成されている。半導体層９２は、ＴＦＴ素子Ｔｒを構成するソース電極９１と接続されている。ソース電極９１は、導電体であり、半導体層９２の一部に電気的に接続されている。ソース電極９１は、図３に示す信号線２５ｎに電気的に接続される。半導体層９２は、ＴＦＴ素子Ｔｒを構成するドレイン電極９０と接続されている。ドレイン電極９０は、半導体層９２の別の一部に電気的に接続されている。
【００４７】
絶縁層７４は、例えば、走査線２４ｍと半導体層９２との間の絶縁膜７４１と、半導体層９２と信号線２５ｎとの間の絶縁膜７４２と、信号線２５ｎと第２電極３２との間の絶縁膜７４３と、第２電極３２と第１電極３１との間の絶縁膜７４４とが積層されている。絶縁膜７４１、７４２、７４３、７４４は、同じ絶縁材料であってもよく、いずれかが異なる絶縁材料であってもよい。例えば、絶縁膜７４３は、ポリイミド樹脂などの有機絶縁材料で形成されており、他の絶縁膜（絶縁膜７４１、絶縁膜７４２、絶縁膜７４４）は、窒化珪素、酸化珪素等の無機絶縁材料で形成されている。
【００４８】
導電性金属で形成されたコンタクト９０Ｈは、いわゆるコンタクトホール内に形成され、ドレイン電極９０と第２電極３２とを接続する。第１電極３１は、共通電極ＣＯＭとして、各画素共通に与えるコモン電位が与えられている。第１電極３１及び第２電極３２は、ＩＴＯ（Indium  Tin  Oxide）等の透光性導電材料（透光性導電酸化物）で形成される透光性電極である。
【００４９】
図５は、実施形態１に係る第１電極の形状と開口部との関係を説明するための模式図である。図５に示すように、第１電極３１は、導電材料のない領域であるスリットＳにより、櫛歯状になっている。第１電極３１は、Ｙ方向に延びる電極基部１３２から複数突出する櫛歯部１３１を備えている。櫛歯部１３１は、電極基部１３２から延びる方向が逆方向である、櫛歯部１３１ａ及び櫛歯部１３１ｂを含む。隣り合う櫛歯部１３１ａは、互いに一定距離を隔てて、電極基部１３２から複数突出する。同様に、隣り合う櫛歯部１３１ｂは、互いに一定距離を隔てて、電極基部１３２から複数突出する。同じ電極基部１３２には、Ｘ方向に櫛歯部１３１ａが延び、Ｘ方向と逆方向に櫛歯部１３１ｂが延びている。なお、電極基部１３２は、櫛歯部１３１ａ又は櫛歯部１３１ｂと同様に、ＩＴＯ（Indium  Tin  Oxide）等の透光性導電材料（透光性導電酸化物）で形成される。
【００５０】
（配向方向）
上述した第１配向膜７３ａは、液晶分子がＸ方向に所定の初期配向性をもつように、図３及び図５に示す配向方向ＯＲＩ（第１配向方向）に配向処理が施されている。第２配向膜７３ｂは、第１配向膜７３ａの配向方向ＯＲＩと反平行（第２配向方向）に配向処理が施されている。第１配向膜７３ａ及び第２配向膜７３ｂは、配向方向が互いにアンチパラレルの関係となっている。上述したように、Ｘ方向に櫛歯部１３１ａが延び、Ｘ方向と逆方向に櫛歯部１３１ｂが延びており、配向方向ＯＲＩは、櫛歯部１３１ａ又は櫛歯部１３１ｂの延びる方向と平行である。ここで平行とは、後述の図９に示す液晶分子ＬＣＱの回転方向が維持できる程度に平行であればよい。より具体的には、０度以上０．５度以下の製造誤差を含む。なお、液晶分子に所定の配向性を持たせるには、ポリイミド等の有機膜にラビング処理をほどこすことにより形成した配向膜、或いは、例えば紫外線等の光を照射することにより、特定の液晶配向能を付与させることが可能な光配向膜を用いて行えばよい。
【００５１】
（遮光位置）
図６は、実施形態１に係る第１電極の形状と遮光位置との関係を説明するための模式図である。ブラックマトリクス７６ａは、図６に示す幅７６ｈ１ａの位置まで遮光し、コンタクト９０Ｈを隠していればよい。開口部７６ｂの縁に近い櫛歯部１３１ｂと、コンタクト９０Ｈとの間にある、最端スリットＳｗは、隣り合う櫛歯部１３１ａ又は隣り合う櫛歯部１３１ｂの間にあるスリットＳに加わる電界と分布が異なる。このため、ブラックマトリクス７６ａは、図６に示す幅７６ｈ１ｂの位置まで遮光し、コンタクト９０Ｈ及び最端スリットＳｗの半分以上を隠していれば、最端スリットＳｗとスリットＳとの透過率の変化率を近づけることができる。ブラックマトリクス７６ａは、図６に示す幅７６ｈ１ｃの位置まで遮光し、コンタクト９０Ｈ及び最端スリットＳｗを隠していれば、最端スリットＳｗとスリットＳとの透過率の変化率差を考慮しなくてもよくなる。この構造により、開口部７６ｂ内の輝度を均一にすることができる。
【００５２】
図７は、実施形態１に係る液晶表示装置において、第１電極と第２電極との間に電界を発生させる電圧が印加されない状態での液晶の配向を説明するための説明図である。図８は、図７のＢ１−Ｂ２断面を示す模式図である。図９は、実施形態１に係る液晶表示装置において、第１電極と第２電極との間に電界を発生させる電圧を印加した状態での液晶の配向を説明するための説明図である。図１０は、図９のＣ１−Ｃ２線断面を示す模式図である。図１１は、実施形態１に係る画素内の第１電極の形状を詳細に説明するための模式図である。
【００５３】
上述したように、第１配向膜７３ａは、Ｘ方向に所定の初期配向性をもつように、図３及び図５に示す配向方向ＯＲＩに配向処理が施されている。このため、図７に示すように、第１電極３１と第２電極３２との間に電界を発生させる電圧が印加されない場合、櫛歯部１３１ａ及び櫛歯部１３１ｂの延びる方向に平行に、液晶層７０Ｃの液晶分子Ｌｃｍの長軸方向が沿うようになり、揃う傾向がある。このため、スリットＳの幅方向で対向する櫛歯部１３１ａ及び櫛歯部１３１ｂの右側長辺１３１Ｒ及び左側長辺１３１Ｌの近傍領域において、液晶分子Ｌｃｍは、櫛歯部１３１ａ及び櫛歯部１３１ｂの延びる方向に平行に沿って初期配向している。また、図８に示す液晶分子Ｌｃｍは、配向方向ＯＲＩに沿うとともに、ＴＦＴ基板７１の表面に対してプレチルト角θｐを有するように配向方向ＯＲＩに向けて上向きに初期配向している。
【００５４】
図９に示すように、第１電極３１と第２電極３２との間に電界を発生させる電圧が印加されると、液晶分子Ｌｃｍが液晶回転方向ＬＣＱに回転する。つまり液晶回転方向ＬＣＱは、Ｘ−Ｙ平面における液晶のツイスト又は回転の方向を示す。右側長辺１３１Ｒの近傍領域と、左側長辺１３１Ｌの近傍領域とにある液晶分子Ｌｃｍは、互いに逆向きの電界を受け、逆向きに回転しやすい。
【００５５】
このように、実施形態１に係る表示装置１の液晶層７０Ｃは、第１電極３１と第２電極３２に電圧が印加される場合、隣り合う櫛歯部１３１ａ（１３１ｂ）のスリットＳの幅方向において対向する一方である、右側長辺１３１Ｒの近傍領域、及び他方である左側長辺１３１Ｌの近傍領域において、液晶分子Ｌｃｍが互いに逆方向に回転する。このため、特許文献１に記載のＦＦＳモードの表示装置と比較して、実施形態１に係る表示装置１は、液晶分子Ｌｃｍが第１電極３１と第２電極３２との間の電界の変化に高速に反応する。そして、実施形態１に係る表示装置１は、応答速度が向上する。
【００５６】
なお、応答速度とは、第１電極３１と第２電極３２に電圧を印加する時に、液晶の透過率を所定レベル間で遷移させる際の速度である。即ち電圧を印加しない状態（例えば透過率＝０）から電圧を印加する状態（透過率＝１）へ遷移する際、或いはその逆の遷移の際に要する時間で規定される。
【００５７】
第１電極３１と第２電極３２との間に電界を発生させる電圧が印加されると、液晶分子Ｌｃｍの長軸方向は、画素基板７０Ａ（ＴＦＴ基板７１）の表面に平行な平面（Ｘ−Ｙ面）内で回転しながら、図１０に示すように、Ｚ方向にも変化する。第１電極３１と第２電極３２とは、画素基板７０Ａ（ＴＦＴ基板７１）の表面に垂直な方向に対向して配置されているので、第１電極３１と第２電極３２との間に発生する電界は、スリットＳを通過するフリンジ電界となる。当該フリンジ電界により、液晶分子Ｌｃｍの長軸は、図９に示すＸ−Ｙ平面で各液晶回転方向ＬＣＱ（右回り、左回り）に回転しながら、画素基板７０Ａ（ＴＦＴ基板７１）の表面に垂直な方向（Ｚ方向）へ立ち上がる。スリットＳの中央領域では液晶回転方向ＬＣＱの向きが混在することがある。
【００５８】
図１０に示すように、櫛歯部１３１ｂ間にあるスリット領域Ｒｓでは、液晶分子Ｌｃｍの長軸方向は、プレチルト角度θｐよりも大きくなる角度θｐ２になる。櫛歯部１３１ａ間にあるスリット領域Ｌｓでは、液晶分子Ｌｃｍの長軸方向は、プレチルト角度θｐとは逆の方向の角度θｐ１になる。スリット領域Ｌｓにおける液晶分子Ｌｃｍの長軸方向は、スリット領域Ｒｓにおける液晶分子Ｌｃｍの長軸方向よりも、立ち上がりがしにくく応答性が劣る可能性がある。
【００５９】
図１１に示すように、実施形態１に係る表示装置１は、第１電極３１の形状をより細かく規定することで応答性を向上できる。例えば、図１１に示すように、Ｘ方向における電極基部１３２間のトータルスリット長をＬ０とする。また、Ｘ方向における櫛歯部１３１ａの櫛歯突出長さをＬ１とする。櫛歯突出長さＬ１は、櫛歯部１３１ａの先端１３１ａｆの位置ｘ１から電極基部１３２の突出開始位置ｘ０までの長さである。同様に、Ｘ方向における櫛歯部１３１ｂの櫛歯突出長さをＬ２とする。櫛歯突出長さＬ２は、櫛歯部１３１ｂの先端１３１ｂｆの位置ｘ１から電極基部１３２の突出開始位置ｘ０までの長さである。また、櫛歯部１３１ａの先端１３１ａｆ及び櫛歯部１３１ｂの先端１３１ｂｆのＹ方向の幅は、ｗ１とする。トータルスリット長Ｌ０は、例えば１０μｍ以上６０μｍ以下が好ましい。また、トータルスリット長Ｌ０は、４０μｍ未満、例えば２０μｍなどが好適である。実施形態１に係る表示装置１は、トータルスリット長Ｌ０を短くすれば、液晶の配向安定性が高くなり、逆に長くすれば輝度が高くなる。
【００６０】
上述したように図１０に示すスリット領域Ｌｓにおける液晶分子Ｌｃｍの長軸方向は、スリット領域Ｒｓにおける液晶分子Ｌｃｍの長軸方向よりも、立ち上がりがしにくく応答性が劣る可能性がある。スリット領域Ｌｓをスリット領域Ｒｓよりも小さくするため、図１１に示す櫛歯突出長さＬ１は、櫛歯部１３１ａよりも配向方向ＯＲＩ側にある櫛歯部１３１ｂの櫛歯突出長さＬ２よりも小さくする。これにより、実施形態１に係る表示装置１は、応答速度を高めることができる。
【００６１】
櫛歯部１３１ａの先端１３１ａｆ及び櫛歯部１３１ｂの先端１３１ｂｆのＹ方向の幅ｗ１は、例えば２μｍ以上５μｍ以下とし、細い方が、応答速度を高めることができる。
【００６２】
隣り合う櫛歯部１３１ａの配列ピッチ（スリットピッチ）ｐは、隣り合う櫛歯部１３１ｂの配列ピッチと同じである。そして、櫛歯部１３１ａの先端１３１ａｆと、櫛歯部１３１ｂの先端１３１ｂｆとがＹ方向に互い違いに配置されるようにしている。この構造により、図９に示すように、櫛歯部１３１ａの右側長辺１３１Ｒと、櫛歯部１３１ｂの右側長辺１３１Ｒとが、Ｘ方向に並ぶようになる。また、この構造により、図９に示すように、櫛歯部１３１ａの左側長辺１３１Ｌと、櫛歯部１３１ｂの左側長辺１３１Ｌとが、Ｘ方向に並ぶようになる。この結果、液晶分子Ｌｃｍが回転する液晶回転方向ＬＣＱは、Ｘ方向にみて同じ向きとなり、液晶分子Ｌｃｍが回転する挙動が安定する。配列ピッチｐが狭くなると応答速度が速くなるため、配列ピッチｐが９μｍより小さいことが好ましい。
【００６３】
図１１に示す櫛歯部１３１ａの先端１３１ａｆと、櫛歯部１３１ｂの先端１３１ｂｆとの間は、縦方向スリットに延びる連通開口部のＸ方向の幅Ｗになり、狭い方が好ましい。例えば、連通開口部のＸ方向の幅Ｗは、７μｍ以下である。連通開口部のＸ方向の幅Ｗは、４μｍ以下であることがより好ましい。なお、連通開口部のＸ方向の幅Ｗは、０以下とすることもできる。例えば、Ｗ＝０の場合、櫛歯部１３１ａの先端１３１ａｆと、櫛歯部１３１ｂの先端１３１ｂｆとがＹ方向の一列に並び、先端同士はＹ方向で間隙を持ち複数のスリットＳが連通開口される形状となる。又は、Ｗ＜０の場合、櫛歯部１３１ａの先端１３１ａｆと、櫛歯部１３１ｂの先端１３１ｂｆとがＸ方向で隣のスリットＳの中に入る形状、言い換えると、櫛歯部１３１ａと櫛歯部１３１ｂとは互い違いに食い込む形状となる。
【００６４】
櫛歯部１３１ａは、電極基部１３２の突出開始位置ｘ０において、Ｙ方向の幅がｗ２であり、櫛歯部１３１ａの先端１３１ａｆのＹ方向の幅ｗ１より広い。このため、櫛歯部１３１ａは、台形形状となる。このため、櫛歯部１３１ａの長辺１３１ａｌ１及び長辺１３１ａｌ２は、櫛歯部１３１ａの中心を通る仮想線１３１ａｃ（櫛歯部１３１ａが延びるＸ方向）の基準方向に対して角度θだけ傾斜している斜辺となる。角度θが、０．５度よりも大きい場合、液晶分子Ｌｃｍが回転する液晶回転方向ＬＣＱが揃いやすくなり、液晶分子Ｌｃｍの挙動が安定する。
【００６５】
同様に、櫛歯部１３１ｂは、電極基部１３２の突出開始位置ｘ０において、Ｙ方向の幅がｗ２であり、櫛歯部１３１ｂの先端１３１ｂｆのＹ方向の幅ｗ１より広い。このため、櫛歯部１３１ｂは、台形形状となる。このため、櫛歯部１３１ｂの長辺１３１ｂｌ１及び長辺１３１ｂｌ２は、櫛歯部１３１ｂの中心を通る仮想線１３１ｂｃ（櫛歯部１３１ｂが延びるＸ方向）の基準方向に対して角度θだけ傾斜している斜辺となる。角度θが、０．５度よりも大きい場合、液晶分子Ｌｃｍが回転する液晶回転方向ＬＣＱが揃いやすくなり、液晶分子Ｌｃｍの挙動が安定する。このように、実施形態１に係る表示装置１は、Ｘ方向で隣接する列同士及びＸ方向ライン上で、液晶回転方向が揃っているので、配向安定性が高い。
【００６６】
櫛歯部１３１ａの櫛歯突出長さＬ１又は櫛歯部１３１ｂの櫛歯突出長さＬ２が長くなると、角度θを大きくする必要がある。角度が大きくなると幅ｗ１と幅ｗ２との差が大きくなり、配列ピッチｐが制限される。例えば、角度θが、０．５度以上１．０度以下の場合、櫛歯部１３１ａの櫛歯突出長さＬ１又は櫛歯部１３１ｂの櫛歯突出長さＬ２が、４５μｍ以下であることが好ましい。
【００６７】
電極基部１３２は、光の透過に寄与しないので、電極基部１３２のＸ方向（電極基部１３２が延びる方向と直交する方向）の幅Ｄ１は狭い方がよい。幅Ｄ１は、０μｍより大きく４μｍ以下であることが好ましい。幅Ｄ１は、０μｍより大きい長さとすると導電性を向上させることができ、４μｍ以下とすると透過率の低下を抑制することができる。幅Ｄ１は、０μｍより大きく４μｍ以下であり、かつ櫛歯部１３１ａの櫛歯突出長さＬ１又は櫛歯部１３１ｂの櫛歯突出長さＬ２が、４５μｍ以下である場合、表示エリア部２１は、１６０ｐｐｉ（pixel  per  inch）以上の高精細な画面になることができる。この場合、例えば、幅ｗ１は０．５μｍとして、櫛歯部１３１ａの櫛歯突出長さＬ１又は櫛歯部１３１ｂの櫛歯突出長さＬ２の全域に渡って、品質良くできる幅ｗ２は、１μｍ以上が好ましい。
【００６８】
上述したように、配列ピッチｐが狭い方が応答速度を速くできる。しかしながら、配列ピッチｐが狭くなると、例えば、櫛歯部１３１ａ又は櫛歯部１３１ｂのＹ方向の幅が大きくなり、光の透過に寄与しない領域が増えることになる。透過率を向上させるには、櫛歯部１３１ａの櫛歯突出長さＬ１又は櫛歯部１３１ｂの櫛歯突出長さＬ２を長くすることが有効であるが、液晶分子Ｌｃｍが回転する液晶回転方向ＬＣＱが揃いにくくなり、液晶分子Ｌｃｍの挙動が不安定になる可能性がある。そこで、角度θを大きくした斜辺とすることが好ましいが、画素Ｖｐｉｘ内の、全ての櫛歯部１３１ａ又は櫛歯部１３１ｂの角度θを大きくしてしまうと、配列ピッチｐが狭い場合、スリットＳの面積を確保できなくなる可能性がある。
【００６９】
図１２は、実施形態１に係る画素内の第１電極の形状と画素間の第１電極の形状を説明するための模式図である。画素Ｖｐｉｘと画素Ｖｐｉｘとの間の境界寄りの櫛歯部１３４の周囲は、上述したようにブラックマトリクス７６ａで隠されている。最端スリットＳｗは、隣り合う櫛歯部１３１ａ又は隣り合う櫛歯部１３１ｂの間にあるスリットＳに加わる電界と分布が異なるため、櫛歯部１３４の周囲は、液晶の配向が不安定になる可能性がある。画素Ｖｐｉｘ内の配向安定性を分析したところ、画素Ｖｐｉｘと画素Ｖｐｉｘとの間の境界寄りの櫛歯部１３４の周囲が、配向が不安定である場合、櫛歯部１３４に隣り合う、画素Ｖｐｉｘ内の櫛歯部１３１ａ又は櫛歯部１３１ｂの配向へも影響があることが判明した。そこで、実施形態１に係る第１電極３１は、櫛歯部１３４近傍の液晶の配向安定性を高めて、画素Ｖｐｉｘ内の櫛歯部１３１ａ又は櫛歯部１３１ｂへの影響を低減する。
【００７０】
櫛歯部１３４の長辺（第１長辺）１３４ｂｌ１は、上述した基準方向に対して角度αだけ傾斜している斜辺である。櫛歯部１３１ｂの長辺のうち長辺（第１長辺）１３１ｂｌ１は、上述した長辺１３４ｂｌ１と同じ側の長辺である。角度αは、上述した基準方向に対して傾斜する、櫛歯部１３１ｂの長辺１３１ｂｌ１がなす角度βよりも大きい。このため、櫛歯部１３４の長辺１３４ｂｌ１は、櫛歯部１３１ｂの長辺１３１ｂｌ１とは非平行になる。同様に、画素Ｖｐｉｘ間の境界寄りの櫛歯部１３４の第１長辺は、画素内の櫛歯部１３１ａの第１長辺よりも基準方向に対してなす角度が大きくなるようにしておく。
【００７１】
櫛歯部１３１ｂの他の長辺（第２長辺）１３１ｂｌ２が上述した基準方向に対してなす角度も上述した角度βと同様にすることが好ましい。これにより、櫛歯部１３１ｂの両側の長辺１３１ｂｌ１及び長辺１３１ｂｌ２における液晶の安定性を揃えることができる。
【００７２】
以上説明したように、実施形態１に係る液晶表示装置１は、対向する第１の基板である画素基板７０Ａ及び第２の基板である対向基板７０Ｂの間に液晶層７０Ｃを有する液晶表示装置である。画素基板７０Ａは、第１電極３１と第２電極３２とを有し、第１電極３１又は第２電極３２の一方が画素Ｖｐｉｘ毎に区画された画素電極である。第１電極３１は、第１の方向に延びる電極基部１３２と、当該第１の方向と異なる第２の方向に延び、かつ互いに一定距離を隔てて電極基部１３２から櫛歯状に複数突出する櫛歯部１３１ａ、１３１ｂ及び１３４とを含む。隣り合う櫛歯部の中には、画素Ｖｐｉｘ間の境界寄りの櫛歯部１３４の第１長辺１３４ｂｌ１が、画素Ｖｐｉｘ内の櫛歯部１３１の第１長辺１３１ｂｌ１と非平行である関係を有する隣接する櫛歯部を含む。角度αは、上述した基準方向に対して傾斜する、櫛歯部１３１ｂの長辺１３１ｂｌ１がなす角度βよりも大きいので、櫛歯部１３４の近傍の液晶の配向安定性が向上する。その結果、画素Ｖｐｉｘと画素Ｖｐｉｘとの間の境界寄りの櫛歯部１３４の周囲の液晶配向が、櫛歯部１３４に隣り合う画素Ｖｐｉｘ内の櫛歯部１３１ａ又は櫛歯部１３１ｂの液晶配向へ影響を与えることを抑制し、面内の表示品質が向上する。また、角度βが角度αよりも小さいので、スリットＳの面積を確保しやすくなるとともに、配列ピッチｐを抑制できる。その結果、画素Ｖｐｉｘ内の液晶の応答速度を向上させることができる。基準方向は、例えば配向方向ＯＲＩ（第１配向方向）を基準方向としてもよい。
【００７３】
全ての櫛歯部１３１ｂの長辺１３１ｂｌ１は、なす角度βが、画素Ｖｐｉｘ内で異なるようにしてもよい。画素Ｖｐｉｘ内の複数の櫛歯部１３１ｂのうち、画素Ｖｐｉｘ間の境界寄りの櫛歯部１３１ｂに近い順に、長辺１３１ｂｌ１が上述した基準方向に対してなす角度βが大きいようにすることで、画素Ｖｐｉｘ間の境界での液晶の配向安定性を高めることができる。
【００７４】
なお、櫛歯部１３４の周囲の配列ピッチＰよりも上述した画素Ｖｐｉｘ内の櫛歯部１３１ａ又は櫛歯部１３１ｂの配列ピッチｐを大きくしてもよい。また、図１１に示すように、実施形態１に係る櫛歯部１３１ａ又は櫛歯部１３１ｂは、電極基部１３２の突出開始位置ｘ０におけるＹ方向の幅ｗ２が、隣り合う櫛歯部１３１ａ又は櫛歯部１３１ｂの配列ピッチｐに０．５を乗じた数よりも小さいことがより好ましい。この構造により、櫛歯部１３１ａ又は櫛歯部１３１ｂが製造される条件によって、上述したＹ方向の幅ｗ２が変動しても、画素Ｖｐｉｘを光が透過する最大透過率の低下を抑制することができる。また、櫛歯部１３１ａ又は櫛歯部１３１ｂが製造される条件によって、上述した配列ピッチｐが変動しても、画素Ｖｐｉｘを光が透過する最大透過率の低下を抑制することができる。
【００７５】
実施形態１に係る櫛歯部１３１ａ又は櫛歯部１３１ｂは、電極基部１３２の突出開始位置ｘ０におけるＹ方向の幅ｗ２が、隣り合う櫛歯部１３１ａ又は櫛歯部１３１ｂの配列ピッチｐに０．４５を乗じた数よりも小さい。この構造により、櫛歯部１３１ａ又は櫛歯部１３１ｂに加える電圧に対し、透過率の変動が小さいＹ方向の幅ｗ２にすることができる。この結果、同じ電圧が加わった櫛歯部１３１ａ又は櫛歯部１３１ｂに対して、上述したＹ方向の幅ｗ２が変動しても、画素Ｖｐｉｘを光が透過する最大透過率の低下が小さくなる。
【００７６】
（製造方法）
実施形態１に係る表示装置１の製造方法は、例えば以下のプロセスを含む。製造装置は、画素基板（第１の基板）７０ＡのＴＦＴ基板７１として透光性基板である、ガラス基板を用意する第１基板の準備工程を処理する。
【００７７】
次に、製造装置は、ＴＦＴ基板７１上に、走査線２４ｍ及びゲート電極９３を形成する。次に、製造装置は、ＴＦＴ基板７１上に、走査線２４ｍ及びゲート電極９３と半導体層９２との間の絶縁膜７４１を形成する。次に、製造装置は、ソース電極９１、ドレイン電極９０、半導体層９２などの層を形成する。次に、製造装置は、半導体層９２と信号線２５ｎとの間の絶縁膜７４２を形成する。次に、製造装置は、信号線２５ｎを形成し、信号線２５ｎとソース電極９１を接続する。次に、製造装置は、信号線２５ｎと第２電極３２との間の絶縁膜７４３を形成する。
【００７８】
次に、製造装置は、スパッタ法、エッチング等により、画素電極として第２電極３２を成膜し、上述した導電性のコンタクト９０Ｈを介してドレイン電極９０と第２電極３２とを接続する。第２電極３２の厚さは、例えば１０ｎｍ以上１００ｎｍ以下である。次に、製造装置は、プラズマＣＶＤ法などで、第２電極３２の上に絶縁膜７４４を成膜する。
【００７９】
次に、製造装置は、スパッタ法、エッチング等により、第１電極３１を成膜し、第１電極３１を上述した共通電極ＣＯＭに接続する。第１電極３１の厚さは、例えば１０ｎｍ以上１００ｎｍ以下である。第１電極３１は、スリットＳにより櫛歯状に形成される。製造装置は、第１電極３１上であって、ポリイミド等の高分子材料に配向方向ＯＲＩの処理が施された第１配向膜７３ａが形成される。以上のように、製造装置は、第１基板の製造工程を処理する。
【００８０】
製造装置は、対向基板（第２の基板）７０Ｂのガラス基板７２として透光性基板である、ガラス基板を用意する第２基板の準備工程を処理する。
【００８１】
製造装置は、ガラス基板７２上に、カラーフィルタ７６Ｒ、７６Ｇ、７６Ｂ、ブラックマトリクス７６ａの層を形成し、その上にオーバーコート層などを形成する。そして、製造装置は、オーバーコート層上であって、ポリイミド等の高分子材料に配向方向ＯＲＩと反平行（逆方向）の処理が施された第２配向膜７３ｂを形成する。以上のように、製造装置は、第２の基板の製造工程を処理する。
【００８２】
製造装置は、画素基板７０Ａと対向基板７０Ｂを対向させ、その間に液晶を注入し、額縁部で封止することで、液晶層７０Ｃを形成する。画素基板７０Ａの背面側には、偏光板やバックライトなどが取り付けられ、前面側には偏光板などが取り付けられる。上述した額縁部の電極端には、上述したドライバＩＣ３が接続され、表示装置１が製造される。
【００８３】
なお実施形態１では、ＴＦＴ素子Ｔｒを構成する半導体層９２として、アモルファスシリコン（ａ−Ｓｉ）を用いたが、これに限定されない。半導体層９２として、多結晶シリコン（ｐｏｌｙ−Ｓｉ）を用いてもよい。また、シリコンに代えて他の半導体材料（例えばゲルマニウム（Ｇｅ））、又はシリコンに他の材料を加えた材料（例えば、シリコンゲルマニウム（ＳｉＧｅ））を用いてもよい。さらに、半導体層９２として、酸化物半導体材料を用いてもよい。当該酸化物半導体材料として、例えば、インジウム（Ｉｎ）を含む酸化物半導体材料を用いてもよい。
【００８４】
また実施形態１において、ＴＦＴ素子Ｔｒは、ゲート電極９３が半導体層９２より下方に設けられるボトムゲート型ＴＦＴであるが、可能であれば、ゲート電極９３が半導体層９２より上方に設けられるトップゲート型ＴＦＴの構成を用いてもよい。なおＴＦＴ素子Ｔｒとしてトップゲート型ＴＦＴの構成を用いる場合は、上記の製造工程に代えて、半導体層９２、走査線２４ｍ及びゲート電極９３、並びに、信号線２５ｎの順に形成、或いは、半導体層９２、信号線２５ｎ、並びに、走査線２４ｍ及びゲート電極９３の順に形成すればよい。
【００８５】
（実施形態１の変形例１）
次に、実施形態１の変形例１に係る表示装置１について説明する。図１３は、図３のＡ１−Ａ２線断面の変形例を示す模式図である。なお、上述した実施形態１で説明したものと同じ構成要素には同一の符号を付して重複する説明は省略する。
【００８６】
実施形態１の変形例１に係る表示装置１は、画素基板７０ＡのＴＦＴ基板７１の表面に垂直な方向（Ｚ方向）に積層された第１電極３１と第２電極３２との間で、かつＴＦＴ基板７１に対して平行方向に電界（横電界）を発生させることにより、液晶層７０Ｃの液晶分子を基板面と平行な面内で回転させ、液晶分子の回転に対応した光透過率変化を利用して表示が行われる。例えば、図１３に示す第２電極３２は上述した共通電極ＣＯＭであり、第１電極３１は、上述した画素電極である。第１電極３１は、例えば導電性のコンタクト９０Ｈを介してドレイン電極９０に接続されている。第１電極３１は、上述された画素Ｖｐｉｘの領域毎に区画され、隣り合う画素Ｖｐｉｘの領域の第１電極３１とは絶縁され独立したパターンとなっている。
【００８７】
（実施形態１の変形例２）
次に、実施形態１の変形例２に係る表示装置１について説明する。図１４は、実施形態１に係る第１電極の形状と開口部との関係の変形例を説明するための模式図である。なお、上述した実施形態１で説明したものと同じ構成要素には同一の符号を付して重複する説明は省略する。
【００８８】
第１電極３１は、Ｘ方向に延びる電極基部１３２から複数突出する櫛歯部１３１を備えている。櫛歯部１３１は、電極基部１３２から延びる方向が逆方向である、櫛歯部１３１ａ及び櫛歯部１３１ｂを含む。隣り合う櫛歯部１３１ａは、互いに一定距離を隔てて、電極基部１３２から複数突出する。同様に、隣り合う櫛歯部１３１ｂは、互いに一定距離を隔てて、電極基部１３２から複数突出する。同じ電極基部１３２には、Ｙ方向に櫛歯部１３１ａが延び、Ｙ方向で櫛歯部１３１ａとは逆方向に櫛歯部１３１ｂが延びている。
【００８９】
このため、上述した第１配向膜７３ａは、Ｙ方向に所定の初期配向性をもつように、図１４に示す配向方向ＯＲＩに配向処理が施されている。第２配向膜７３ｂは、第１配向膜７３ａの配向方向ＯＲＩと反平行に配向処理が施されている。第１配向膜７３ａ及び第２配向膜７３ｂは、配向方向が互いにアンチパラレルの関係となっている。
【００９０】
（実施形態２）
次に、実施形態２に係る表示装置１について説明する。図１５は、実施形態２に係る液晶表示装置の画素を説明するための平面図である。図１６は、図１５のＥ１−Ｅ２線断面を示す模式図である。図１７は、実施形態２に係る画素内の第１電極の形状と画素間の第１電極の形状を説明するための模式図である。なお、上述した実施形態１で説明したものと同じ構成要素には同一の符号を付して重複する説明は省略する。
【００９１】
図１５に示すように、半導体層９２は、ＴＦＴ素子Ｔｒを構成する多結晶シリコン（ｐｏｌｙ−Ｓｉ）である。半導体層９２は、２つの領域でチャネルを形成したダブルゲートトランジスタである。
【００９２】
図１５及び図１６に示すように、実施形態２に係る表示装置１は、画素基板７０ＡのＴＦＴ基板７１の表面に垂直な方向（Ｚ方向）に積層された第１電極３１と第２電極３２との間で、かつＴＦＴ基板７１に対して平行方向に電界（横電界）を発生させることにより、液晶層７０Ｃの液晶分子を基板面と平行な面内で回転させ、液晶分子の回転に対応した光透過率変化を利用して表示が行われる。例えば、図１６に示す第２電極３２は上述した共通電極ＣＯＭであり、第１電極３１は、上述した画素電極である。第１電極３１は、例えば導電性のドレイン電極９０に接続されている。第１電極３１は、上述された画素Ｖｐｉｘの領域毎に区画され、隣り合う画素Ｖｐｉｘの領域の第１電極３１とは絶縁され独立したパターンとなっている。
【００９３】
図１７に示すように、第１電極３１は、導電材料のない領域であるスリットＳにより、櫛歯状になっている。第１電極３１は、Ｙ方向に延びる電極基部１３２から複数突出する櫛歯部１３１を備えている。上述した実施形態１とは異なり、櫛歯部１３１は、電極基部１３２から延びる方向が一方向である、櫛歯部１３１ｃを含む。隣り合う櫛歯部１３１ｃは、互いに一定距離を隔てて、電極基部１３２から複数突出する。同じ電極基部１３２には、櫛歯部１３１ｃがＸ方向であって、図２２に示す櫛歯部１３１ｃとは逆方向に延びていてもよい。同じ電極基部１３２には、Ｘ方向に櫛歯部１３１ｃが延びるようにしてもよい。
【００９４】
上述した第１配向膜７３ａは、Ｘ方向に所定の初期配向性をもつように、図３及び図５に示す配向方向ＯＲＩに配向処理が施されている。第２配向膜７３ｂは、第１配向膜７３ａの配向方向ＯＲＩと反平行に配向処理が施されている。第１配向膜７３ａ及び第２配向膜７３ｂは、配向方向が互いにアンチパラレルの関係となっている。
【００９５】
上述した実施形態１に係る表示装置１と同様に、実施形態２に係る表示装置１の液晶層７０Ｃは、第１電極３１と第２電極３２に電圧が印加される場合、隣り合う櫛歯部１３１ｃのスリットＳの幅方向において対向する一方である、上述した右側長辺１３１Ｒの近傍領域、及び他方である上述した左側長辺１３１Ｌの近傍領域において、液晶分子が互いに逆方向に回転する。このため、特許文献１に記載のＦＦＳモードの表示装置と比較して、実施形態２に係る表示装置１は、液晶分子が第１電極３１と第２電極３２との間の電界の変化に高速に反応する。そして、実施形態２に係る表示装置１は、応答速度が向上する。
【００９６】
櫛歯部１３１ｃの櫛歯突出長さＬ３は、上述した櫛歯部１３１ｂの櫛歯突出長さＬ２と同様に、長くなると、角度θを大きくする必要がある。角度が大きくなると幅ｗ１と幅ｗ２との差が大きくなり、配列ピッチｐが制限される。例えば、角度θが、０．５度以上１．０度以下の場合、櫛歯部１３１ｃの櫛歯突出長さＬ３が、４５μｍ以下であることが好ましい。
【００９７】
電極基部１３２は、光の透過に寄与しないので、電極基部１３２のＸ方向（電極基部１３２が延びる方向と直交する方向）の幅Ｄ１は狭い方がよい。幅Ｄ１は、０μｍより大きく４μｍ以下であることが好ましい。幅Ｄ１は、０μｍより大きい長さとすると導電性を向上させることができ、４μｍ以下とすると透過率の低下を抑制することができる。幅Ｄ１は、０μｍより大きく４μｍ以下であり、かつ櫛歯部１３１ｃの櫛歯突出長さが、４５μｍ以下である場合、表示エリア部２１は、１６０ｐｐｉ以上の高精細な画面になることができる。この場合、例えば、幅ｗ１は０．５μｍとして、櫛歯部１３１ｃの櫛歯突出長さの全域に渡って、品質良くできる幅ｗ２は、１μｍ以上が好ましい。
【００９８】
上述したように、配列ピッチｐが狭い方が応答速度を速くできる。しかしながら、配列ピッチｐが狭くなると、例えば、櫛歯部１３１ｃのＹ方向の幅が大きくなり、光の透過に寄与しない領域が増えることになる。透過率を向上させるには、櫛歯部１３１ｃの櫛歯突出長さＬ３を長くすることが有効であるが、液晶分子Ｌｃｍが回転する液晶回転方向ＬＣＱが揃いにくくなり、液晶分子Ｌｃｍの挙動が不安定になる可能性がある。そこで、角度βを大きくした斜辺とすることが好ましいが、画素Ｖｐｉｘ内の、全ての櫛歯部１３１ｃの角度βを大きくしてしまうと、配列ピッチｐが狭い場合、スリットＳの面積を確保できなくなる可能性がある。
【００９９】
図１７に示すように、最端スリットＳｗは、隣り合う櫛歯部１３１ａ又は隣り合う櫛歯部１３１ｂの間にあるスリットＳに加わる電界と分布が異なるため、配向が不安定になる可能性がある。画素Ｖｐｉｘ内の配向安定性を分析したところ、画素Ｖｐｉｘと画素Ｖｐｉｘとの間の境界寄りの櫛歯部１３４の周囲が、配向が不安定である場合、櫛歯部１３４に隣り合う、画素Ｖｐｉｘ内の櫛歯部１３１ｃの配向へも影響があることが判明した。実施形態２に係る第１電極は、櫛歯部１３４近傍の液晶の配向安定性を高めて、画素Ｖｐｉｘ内の櫛歯部１３１ｃへの影響を低減する。
【０１００】
櫛歯部１３４の長辺（第１長辺）１３４ｃｌ１は、上述した基準方向に対して角度αだけ傾斜している斜辺である。角度αは、櫛歯部１３１ｃの長辺（第１長辺）１３１ｃｌ１が、上述した基準方向に対して傾斜するなす角度βよりも大きい。このため、櫛歯部１３４の長辺１３４ｃｌ１は、櫛歯部１３１ｂの長辺１３１ｃｌ１とは非平行になる。なお、櫛歯部１３１ｃの長辺（第２長辺）１３１ｂｌ２の角度も角度βとすることがより好ましい。画素Ｖｐｉｘ内の櫛歯部１３１ａ又は櫛歯部１３１ｂの配列ピッチｐは、櫛歯部１３４の周囲の配列ピッチＰよりも大きくすることにより、配向を安定させることができる。角度βが角度αよりも小さいので、スリットＳの面積を確保しやすくなるとともに、配列ピッチｐを所定範囲に収めることができ、画素Ｖｐｉｘ内全体として液晶の応答速度を向上させることができる。
【０１０１】
以上説明したように、実施形態２に係る液晶表示装置１において、第１電極３１は、第１の方向に延びる電極基部１３２と、当該第１の方向と異なる第２の方向に延び、かつ互いに一定距離を隔てて電極基部１３２から櫛歯状に複数突出する櫛歯部１３１ｃ及び１３４とを含む。画素Ｖｐｉｘ間の境界寄りの櫛歯部１３４の第１長辺１３４ｃｌ１は、画素Ｖｐｉｘ内の櫛歯部１３１ｃの第１長辺１３１ｃｌ１と非平行である。角度αは、上述した基準方向に対して傾斜する、櫛歯部１３１ｂの長辺１３１ｃｌ１がなす角度βよりも大きいので、櫛歯部１３４の近傍の液晶の配向安定性が向上する。その結果、画素Ｖｐｉｘと画素Ｖｐｉｘとの間の境界寄りの櫛歯部１３４の周囲の液晶配向が、櫛歯部１３４に隣り合う画素Ｖｐｉｘ内の櫛歯部１３１ｃの液晶配向へ影響を与えることを抑制し、面内の表示品質が向上する。また、角度βが角度αよりも小さいので、スリットＳの面積を確保しやすくなるとともに、配列ピッチｐを抑制できる。その結果、画素Ｖｐｉｘ内の液晶の応答速度を向上させることができる。
【０１０２】
なお、図１７に示すように、実施形態２に係る櫛歯部１３１ｃは、電極基部１３２の突出開始位置ｘ０におけるＹ方向の幅ｗ２が、隣り合う櫛歯部１３１ｃの配列ピッチｐに０．５を乗じた数よりも小さい。この構造により、櫛歯部１３１ｃが製造される条件によって、上述したＹ方向の幅ｗ２が変動しても、画素Ｖｐｉｘを光が透過する最大透過率の低下を抑制することができる。また、櫛歯部１３１ｃが製造される条件によって、上述した配列ピッチｐが変動しても、画素Ｖｐｉｘを光が透過する最大透過率の低下を抑制することができる。
【０１０３】
実施形態２に係る櫛歯部１３１ｃは、電極基部１３２の突出開始位置ｘ０におけるＹ方向の幅ｗ２が、隣り合う櫛歯部１３１ｃの配列ピッチｐに０．４５を乗じた数よりも小さい。この構造により、櫛歯部１３１ｃに加える電圧に対し、透過率の変動が小さいＹ方向の幅ｗ２にすることができる。この結果、同じ電圧が加わった櫛歯部１３１ｃに対して、上述したＹ方向の幅ｗ２が変動しても、画素Ｖｐｉｘを光が透過する最大透過率の低下が小さくなる。
【０１０４】
（実施形態２の変形例１）
次に、実施形態２の変形例１に係る表示装置１について説明する。図１８は、実施形態２の変形例１に係る第１電極の形状と開口部との関係を説明するための模式図である。なお、上述した実施形態１及び実施形態２で説明したものと同じ構成要素には同一の符号を付して重複する説明は省略する。
【０１０５】
実施形態２の変形例１に係る表示装置１は、画素基板７０ＡのＴＦＴ基板７１の表面に垂直な方向（Ｚ方向）に積層された第１電極３１と第２電極３２との間で、かつＴＦＴ基板７１に対して平行方向に電界（横電界）を発生させることにより、液晶層７０Ｃの液晶分子を基板面と平行な面内で回転させ、液晶分子の回転に対応した光透過率変化を利用して表示が行われる。例えば、図１８に示す第１電極３１は上述した画素電極であり、第２電極３２は、上述した共通電極ＣＯＭである。第１電極３１は、例えば導電性のコンタクト９０Ｈを介してドレイン電極９０に接続されている。第１電極３１は、Ｙ方向に延びる電極基部１３２から複数突出する櫛歯部１３１ｄを備えている。隣り合う櫛歯部１３１ｄは、互いに一定距離を隔てて、電極基部１３２から複数突出する。同じ電極基部１３２には、ＯＲＩｆ方向に櫛歯部１３１ｄが延びている。櫛歯部１３１ｄが延びている方向ＯＲＩｆは、Ｘ方向（又はＹ方向）と角度θｍを有している。
【０１０６】
実施形態２の変形例１に係る表示装置１は、第１電極３１又は第２電極３２の一方が画素Ｖｐｉｘ毎に区画された画素電極である。当該画素電極は、Ｘ方向及びＹ方向に行列状に配列されている。櫛歯部１３１ｄが延びている方向ＯＲＩｆは、画素電極が行又は列に配列される方向と異なるようになっている。これにより、視認し易くするため、又は眼を保護するために、偏光サングラスを用いて実施形態２の変形例１に係る表示装置１の表示エリア部２１をみても、偏光サングラスによって殆ど遮断されてしまい、コントラストが低下して表示が暗くなって見えにくくなる現象を抑制することができる。
【０１０７】
（実施形態２の変形例２）
次に、実施形態２の変形例２に係る表示装置１について説明する。図１９は、図１５のＥ１−Ｅ２線断面の変形例を示す模式図である。なお、上述した実施形態１及び実施形態２で説明したものと同じ構成要素には同一の符号を付して重複する説明は省略する。
【０１０８】
実施形態２の変形例３に係る表示装置１は、画素基板７０ＡのＴＦＴ基板７１の表面に垂直な方向（Ｚ方向）に積層された第１電極３１と第２電極３２との間で、かつＴＦＴ基板７１に対して平行方向に電界（横電界）を発生させることにより、液晶層７０Ｃの液晶分子を基板面と平行な面内で回転させ、液晶分子の回転に対応した光透過率変化を利用して表示が行われる。例えば、図１９に示す第１電極３１は上述した共通電極ＣＯＭであり、第２電極３２は、上述した画素電極である。第１電極３１は、例えば導電性のコンタクト９０Ｈを介してドレイン電極９０に接続されている。
【０１０９】
（実施形態２の変形例３）
次に、実施形態２の変形例３に係る表示装置１について説明する。図２１は、実施形態２の変形例３に係る画素内の第１電極の形状と画素間の第１電極の形状を説明するための模式図である。なお、上述した実施形態１及び実施形態２で説明したものと同じ構成要素には同一の符号を付して重複する説明は省略する。
【０１１０】
実施形態２の変形例３に係る表示装置１は、櫛歯部１３４の長辺１３４ｃｌ１に屈曲部１４Ｑを有している。そこで、櫛歯部１３４の長辺１３４ｃｌ１１は、上述した基準方向に対して角度αだけ傾斜している斜辺であり、角度αは、櫛歯部１３１ｃの長辺１３１ｃｌ１は、上述した基準方向に対して傾斜するなす角度βよりも大きい。また、櫛歯部１３４の長辺１３４ｃｌ１２は、上述した基準方向に対して角度γだけ傾斜している斜辺であり、角度αは、櫛歯部１３１ｃの長辺１３１ｃｌ１は、上述した基準方向に対して傾斜するなす角度βよりも大きい。このように屈曲部１３４Ｑを有していることにより、角度α及び角度γは、角度βよりも大きくしやすくなる。
【０１１１】
以上説明したように、画素Ｖｐｉｘ間の境界寄りの櫛歯部１３４の長辺１３４ｃｌ１は、基準方向に対してなす角度α又は角度γの少なくとも１つが角度βよりも大きくなるような屈曲部１３４Ｑを有しているので、櫛歯部１３４の近傍の液晶の配向安定性が向上する。その結果、画素Ｖｐｉｘと画素Ｖｐｉｘとの間の境界寄りの櫛歯部１３４の周囲の液晶配向が、櫛歯部１３４に隣り合う画素Ｖｐｉｘ内の櫛歯部１３１ｃの液晶配向へ影響を与えることを抑制し、面内の表示品質を向上することができる。
【０１１２】
（実施形態２の変形例４）
次に、実施形態２の変形例４に係る表示装置１について説明する。図２２は、実施形態２の変形例４に係る第１電極の形状と遮光位置との関係を説明するための模式図である。なお、上述した実施形態１及び実施形態２で説明したものと同じ構成要素には同一の符号を付して重複する説明は省略する。
【０１１３】
第１電極３１は、Ｘ方向に延びる電極基部１３２から複数突出する櫛歯部１３１を備えている。櫛歯部１３１は、電極基部１３２から延びる方向がＹ方向と逆方向である、櫛歯部１３１ｃを含む。隣り合う櫛歯部１３１ｃは、互いに一定距離を隔てて、電極基部１３２から複数突出する。同じ電極基部１３２には、Ｙ方向と逆方向に櫛歯部１３１ｃが延び、Ｙ方向と逆方向に櫛歯部１３１ｃが延びている。
【０１１４】
このため、上述した第１配向膜７３ａは、Ｙ方向に所定の初期配向性をもつように、図１４に示す配向方向ＯＲＩに配向処理が施されている。第２配向膜７３ｂは、第１配向膜７３ａの配向方向ＯＲＩと反平行に配向処理が施されている。第１配向膜７３ａ及び第２配向膜７３ｂは、配向方向が互いにアンチパラレルの関係となっている。
【０１１５】
評価例１乃至評価例６について、以下、評価した結果を説明する。
【０１１６】
（評価例１）
図２２は、実施形態２の変形例２に係る第１電極の形状と遮光位置との関係を説明するための模式図である。ブラックマトリクス７６ａは、図２２に示す幅ｈ１ｄの位置ａ１まで遮光し、コンタクト９０Ｈを隠していればよい。コンタクト９０Ｈと接続し、開口部７６ｂの縁に近い櫛歯部１３４と、櫛歯部１３１ｃとの間にある、最端スリットＳｗに加わる電界は、隣り合う櫛歯部１３１ｃの間にあるスリットＳに加わる電界と分布が異なる。このため、ブラックマトリクス７６ａは、図６に示す幅７６ｈ１ｂの位置まで遮光し、櫛歯部１３４の全体を隠していれば、最端スリットＳｗとスリットＳとの透過率の変化率を近づけることができる。ブラックマトリクス７６ａは、櫛歯部１３４の外周端ａ０からコンタクト９０Ｈの位置ａ２まで遮光し、コンタクト９０Ｈを隠していれば、少なくとも明るさの低下又は乱れが低減される。この構造により、開口部７６ｂ内の輝度を均一にすることができる。図２３は、図２２の面内輝度分布の一例を示す説明図である。
【０１１７】
図２３に示すように、スリットＳに相当する部分は輝度が高いことが分かる。評価例１は、画素ＶｐｉｘのＹ方向の領域Ｖｐｉｘｈのうち、端部を除けば、輝度が高い分布の均一性が高く、輝度の乱れが少ないことが分かる。領域Ｖｐｉｘｈの外側は、均一性が低いがブラックマトリクス７６ａが遮光しているので、領域Ｖｐｉｘｈに与える影響が少なくできる。
【０１１８】
図２４は、図２３のＦ１−Ｆ２線断面の明るさ分布を示す説明図である。例えば、図２２に示す櫛歯部１３４の位置は、明るさ（透過率）が減衰する。よって、実施形態２の変形例２に係る表示装置は、評価例１により、図２２に示す位置ａ１及び位置ａ２の間である距離Ｈを、図２４に示す明るさ（透過率）が減衰する範囲よりも広くすることが好ましいことが分かる。なお、図２４に示す明るさ（透過率）は、入射光を１とした場合、偏光板効率を０．５としたときの透過率である。
【０１１９】
図２５は、櫛歯部の長辺の傾斜する角度θが０度の場合、櫛歯部の突出長さと配列ピッチ（スリットピッチ）との関係について説明する説明図である。図２６は、櫛歯部の長辺の傾斜する角度θが０．５度の場合、櫛歯部の突出長さと配列ピッチ（スリットピッチ）との関係について説明する説明図である。図２７は、櫛歯部の長辺の傾斜する角度θが１度の場合、櫛歯部の突出長さと配列ピッチ（スリットピッチ）との関係について説明する説明図である。図２５、図２６及び図２７の評価結果において。丸（○）の点は配向が判定している評価であり、三角（△）の点は、配向の安定と不安定との境界であり、クロス（×）の点は、不安定の評価である。
【０１２０】
図２５に示すように、角度θが０度である場合、配列ピッチを狭くしてもスリットの面積を確保できるものの、スリット長さ（上述した櫛歯突出長さ）を長くすると液晶の配向安定性が不安定となり、スリット長さ（上述した櫛歯突出長さ）を長くできないので透過率を向上しにくいことが分かる。図２６に示すように、角度θを大きくすると、液晶の配向を安定化させることができるが、配列ピッチ（スリットピッチ）が５μｍ及びスリット長さ３０μｍの組み合わせと、配列ピッチ（スリットピッチ）が６μｍ及びスリット長さ６０μｍの組み合わせとを結ぶ仮想線ｓｓｌよりも配列ピッチ（スリットピッチ）を小さくすると、液晶の配向安定性が不安定となる。図２７に示すように、角度θが１度である場合、配列ピッチ（スリットピッチ）が６μｍ及びスリット長さ６０μｍの組み合わせとを結ぶ仮想線ｓｓｌよりも配列ピッチ（スリットピッチ）を小さくしても、液晶の配向安定性が安定する。しかしながら、図２７に示す角度θが１度である場合、スリットの面積が確保しにくい傾向になる。そこで、画素間の境界寄りの櫛歯部１３４の長辺１３４ｃｌ１が基準方向となす角αを１度とし、画素内の櫛歯部１３１ｃの長辺１３１ｃｌ１の長辺が基準方向に対してなす角度βを０．５度とする。角度α（＝１度）は、櫛歯部１３１ｂの長辺１３１ｃｌ１がなす角度β（＝０．５度）よりも大きいので、櫛歯部１３４の近傍の液晶の配向安定性が向上する。その結果、画素Ｖｐｉｘと画素Ｖｐｉｘとの間の境界寄りの櫛歯部１３４の周囲の液晶配向が、櫛歯部１３４に隣り合う画素Ｖｐｉｘ内の櫛歯部１３１ｃの液晶配向へ影響を与えることを抑制し、面内の表示品質が向上する。また、角度β（＝０．５度）が角度α（＝１度）よりも小さいので、スリットＳの面積を確保しやすくなるとともに、配列ピッチ（スリットピッチ）ｐを抑制できる。
【０１２１】
例えば、図２５、図２６及び図２７に示すように、スリット長さを３０μｍとした場合、画素内の櫛歯部１３１ｃは、長辺１３１ｃｌ１の長辺が基準方向に対してなす角度βを０．５度とすると共に仮想線ｓｓｌよりも配列ピッチ（スリットピッチ）を小さくして、配列ピッチ（スリットピッチ）が４．５μｍとする。これに対して、画素間の境界寄りの櫛歯部１３４は、長辺１３４ｃｌ１が基準方向となす角αを１度、配列ピッチを９μｍとすると共に仮想線ｓｓｌよりも配列ピッチ（スリットピッチ）を大きくして、８μｍ又は９μｍとする。画素Ｖｐｉｘ内全体の配向安定性を向上させ、画素内の櫛歯部１３１ｃの配列ピッチ（スリットピッチ）が画素全体の多くを占めるので、全体のピッチｐが小さくなり、応答速度を向上させることができる。
【０１２２】
また、画素内の櫛歯部１３１ｃと、画素間の境界寄りの櫛歯部１３４とは、角度αを角度βよりも大きくするとともに、配列ピッチ（スリットピッチ）及びスリット長さ（上述した櫛歯突出長さ）を画素内の櫛歯部１３１ｃと、画素間の境界寄りの櫛歯部１３４とで異ならせてもよい。画素内の櫛歯部１３１ｃは、長辺１３１ｃｌ１の長辺が基準方向に対してなす角度βを０．５度とし、配列ピッチ（スリットピッチ）及びスリット長さ（上述した櫛歯突出長さ）を、上述した図２６に示す仮想線ｓｓｌ以下の配列ピッチ（スリットピッチ）及び仮想線ｓｓｌ以上のスリット長さ（上述した櫛歯突出長さ）以上の値とする。画素間の境界寄りの櫛歯部１３４は、長辺１３４ｃｌ１が基準方向となす角αを１度とし、配列ピッチ（スリットピッチ）及びスリット長さ（上述した櫛歯突出長さ）を、上述した図２７に示す仮想線ｓｓｌ以上の配列ピッチ（スリットピッチ）及び仮想線ｓｓｌ以上のスリット長さ（上述した櫛歯突出長さ）以上の値、かつ画素内の櫛歯部１３１ｃにおける、配列ピッチ（スリットピッチ）及びスリット長さ（上述した櫛歯突出長さ）の少なくとも一方と異なるように、なっている。このようにすることで、画素Ｖｐｉｘ内全体の配向安定性を向上させ、画素内の櫛歯部１３１ｃの配列ピッチ（スリットピッチ）が画素全体の多くを占めるので、全体のピッチｐが小さくなり、応答速度を向上させることができる。
【０１２３】
（評価例２）
図２８は、配列ピッチ（スリットピッチ）と応答時間との関係について説明する説明図である。図２８に示す評価例２は、上述した実施形態１に係る表示装置１を温度２５℃及び温度０℃で動作させている。図２８において、菱形（◆）の点（ton25）は、温度２５℃での電圧ＯＮ時（ＯＦＦ状態からＯＮ状態まで）の応答時間（秒）を配列ピッチ毎にプロットした評価結果である。図２８において、三角（△）の点（ton0）は、温度０℃での電圧ＯＮ時（ＯＦＦ状態からＯＮ状態まで）の応答時間（秒）を配列ピッチ毎にプロットした評価結果である。スリットピッチ（ｐ）は、長くなると応答速度が遅くなることが分かる。特許文献１に記載したような、従来のＦＦＳ方式の応答時間（Ｔ）を１として規格化した場合、配列ピッチｐが９μｍより小さいと、温度２５℃及び温度０℃のいずれの動作でも、応答時間が１よりも小さくすることができる。
【０１２４】
（評価例３）
図２９は、櫛歯部の長辺の傾斜する角度θと櫛歯部の突出長さとの関係について説明する説明図である。図２９に示す評価例３は、上述した実施形態１に係る表示装置１であって、図１１に示す櫛歯突出長さＬ２及び角度θの異なる画素Ｖｐｉｘを評価した。評価基準として配向安定性を判定した。なお、配向安定性の判定基準は、表示上（平面視）の輝度分布の品質（均一性など）を確認し、スリットの幅方向で対向する櫛歯部の長辺のうち一方の近傍領域において回転方向が右回りに、かつ他方の近傍領域において回転方向が左回りに、面内方向で回転し、安定しているものを二重丸（◎）、回転方向が右回り又は左回りに偏っているものをバツ（×）、スリットの幅方向で対向する櫛歯部の長辺のうち一方の近傍領域又は他方の近傍領域において回転方向が不安定でばらつくものを三角（△）と判定した。
【０１２５】
図２９に示す評価結果によれば、櫛歯突出長さＬ２が１５μｍ及び角度θが０度の場合、評価の判定は、二重丸（◎）であった。図２９に示す評価結果によれば、櫛歯突出長さＬ２が１５μｍ及び角度θが０．５５度の場合、評価の判定は、二重丸（◎）であった。
【０１２６】
図２９に示す評価結果によれば、櫛歯突出長さＬ２が３０μｍ及び角度θが０．００度の場合、評価の判定は、バツ（×）であった。櫛歯突出長さＬ２が３０μｍ及び角度θが０．２２度の場合、評価の判定は、バツ（×）であった。櫛歯突出長さＬ２が３０μｍ及び角度θが０．５５度の場合、評価の判定は、三角（△）であった。櫛歯突出長さＬ２が３０μｍ及び角度θが０．６２度の場合、評価の判定は、二重丸（◎）であった。櫛歯突出長さＬ２が３０μｍ及び角度θが０．７０度の場合、評価の判定は、三角（△）であった。櫛歯突出長さＬ２が３０μｍ及び角度θが１．０１度の場合、評価の判定は、二重丸（◎）であった。
【０１２７】
図２９に示す評価結果によれば、櫛歯突出長さＬ２が６２．５μｍ及び角度θが０．００度の場合、評価の判定は、バツ（×）であった。櫛歯突出長さＬ２が６２．５μｍ及び角度θが０．６９度の場合、評価の判定は、二重丸（◎）であった。
【０１２８】
以上説明したように、櫛歯突出長さＬ２に関わらず、角度θが、０．５度よりも大きい場合、液晶分子Ｌｃｍが回転する液晶回転方向ＬＣＱが揃いやすくなり、液晶分子Ｌｃｍの挙動を安定できる。このため、実施形態１に係る表示装置１は、角度θが０．５度よりも大きい場合、製造上の誤差により配向方向（ＯＲＩ）がＸ方向（０度）から少しずれても、角度θのずれを許容することができ、配向安定性を維持できる。
【０１２９】
（評価例４）
図３０は、櫛歯部の先端の位置における透過率を説明するための説明図である。なお、図３０に示す明るさ（透過率）は、入射光を１とした場合、偏光板効率を０．５としたときの透過率である。図３０に示す評価例４は、上述した実施形態１に係る表示装置１の図９のＣ１−Ｃ２線断面の透過率を評価した。図３０に示す位置ｘ１は、櫛歯部１３１ａの先端１３１ａｆの位置である。図３０に示すように、ｘ１付近を境にスリット領域Ｌｓでは、明るさ（透過率）が０（黒）に近付く。例えば、図３０に示すように、位置ｘ１からスリット領域Ｒｓ側に３．５μｍの位置以上であれば、明るさ（透過率）が殆ど０となることが分かる。このため、連通開口部が広がると明るさ（透過率）が低下するため、図１１に示す幅Ｗは短い方がよい。評価例４に示すように、図１１に示す幅Ｗは、例えばＷ≦７μｍであることが好ましい。図１１に示す幅Ｗは、特にＷ≦４μｍであると、より明るさ（透過率）が低下する可能性を低減できる。
【０１３０】
図３１は、リタデーションとセル厚との関係を説明するための説明図である。図３２は、リタデーションと明るさ（透過率）との関係を説明するための説明図である。なお、図３２に示す明るさ（透過率）は、入射光を１とした場合、偏光板効率を０．５としたときの透過率である。図３１及び図３２を用いて、液晶層７０ＣにおけるΔｎｄ（リタデーションＲ＝Δｎ×ｄ）の特性について説明する。セル厚ｄは、図４に示す液晶層７０ＣのＺ方向の厚みである。ｎは液晶層３０の液晶の屈折率差であり、Δｎ＝（ｎｅ−ｎｏ）である。ネマティック液晶の屈折率（ｎｅ、ｎｏ）のうち、ｎｅは異常光屈折率（液晶分子長軸方向に平行な屈折率）であり、ｎｏは常光屈折率（液晶分子長軸方向に垂直な屈折率）である。液晶層７０Ｃの屈折率差をΔｎとした場合、リタデーションＲは、複屈折性（屈折率異方性ともいう）を持つ液晶層７０Ｃを光が透過する際の位相差である。リタデーションＲは、Ｒ＝Δｎ×ｄで演算できる。液晶層７０Ｃにおける透過光の強度は、Ｒ（Δｎｄ）＝ｍλ（ｍ：整数，λ：光波長）を満たす場合、最大となる。
【０１３１】
図３１に示すように、実施形態１に係る表示装置１は、液晶層７０Ｃのセル厚ｄに応じて最適なＲ（Δｎｄ）が異なることが分かる。図３１の評価例２６によれば、セル厚ｄをｘ軸に、Ｒ（Δｎｄ）をｙ軸にプロットした場合、関数：ｙ＝０．１１ｘを求めることができる。
【０１３２】
図３２において、ｙ軸に明るさ、ｘ軸にリタデーションＲをプロットしている。図３２において、四角（■）の点はｄ＝２．９μｍの明るさとリタデーションＲとをプロットした評価結果である。菱形（◆）の点はｄ＝２．５μｍの明るさとリタデーションＲとをプロットした評価結果である。Δｎｄには波長依存があり、波長が長くなるとΔｎｄが小さくなり、波長が短くなるとΔｎｄが大きくなる傾向にある。また、Δｎｄと明るさとの関係は、おおよそΔｎｄを波長で割った値に比例する。このため、図３２に示すように、明るさが明るいと画素の色が黄色くなり、明るさが暗いと画素の色が青くなる傾向にある。その結果、液晶層７０Ｃは、例えば画素の色（カラーフィルタ７６Ｒ、７６Ｇ及び７６Ｂ）毎の最大透過率よりも暗いＲ（Δｎｄ）が好ましい。そして、Ｒ（Δｎｄ）値は、明るさ（輝度）が８０％程度の図３２に示す点線以上の値が好ましい。即ち、好適なＲ（Δｎｄ）の条件は、Ｒ（Δｎｄ）≧０．１１×ｄとなる。例えばｄ＝２．５μｍの場合はＲ≧０．２７５μｍ、ｄ＝２．９μｍの場合はＲ≧０．３１９μｍとなる。このＲ条件に従い液晶層７０Ｃの液晶のΔｎ及びセル厚ｄが決定される。
【０１３３】
（評価例５）
図３３は、液晶の弾性特性について説明するための説明図である。図３３に示す評価結果は、液晶層７０Ｃの液晶の弾性定数（特にＫ２２）に応じた時間（ｍｓ）と明るさの関係を示している。液晶層７０Ｃの液晶分子（ネマティック液晶）の弾性定数Ｋとして、ツイスト弾性定数Ｋ２２とする。ツイスト弾性定数Ｋ２２は、液晶分子がＸ−Ｙ平面内で回転（ツイスト）する際の弾性定数に相当する。
【０１３４】
図３３では、各弾性定数Ｋ２２の値に応じて、時間（ミリ秒）に対する明るさの関係のグラフを示す。時間は、前述の電圧ＯＦＦからＯＮ時の明るさ（透過率）の遷移に要する応答時間、言い換えると液晶分子の回転に要する時間である。明るさは最大を１として規格化している。図３４において、弾性定数Ｋ２２＞７．２の場合の曲線群と、Ｋ２２＝７．２の場合の曲線とがプロットされている。
【０１３５】
実施形態１及び実施形態２に係る表示装置１は、上述のように、液晶の弾性エネルギーの積極的な利用により応答の高速化を実現する。実施形態１及び実施形態２に係る表示装置１は、図９に例示した液晶分子Ｌｃｍの回転を利用する。このため、弾性定数Ｋ（特にＫ２２）が極力大きい方がよい。弾性定数Ｋ２２が小さすぎる、例えばＫ２２が７．２の場合、図３３に示すように、Ｋ２２が７．２より大きい場合に比べて応答速度が遅くなる。
【０１３６】
（評価例６）
図３４は、櫛歯部の幅と最大透磁率との関係について説明するための説明図である。図３４に示す評価結果は、実施形態１に係る表示装置１において、図１１に示す幅ｗ２と最大透過率（％）の関係を示している。評価例６は、図３２に示す、ｄ＝２．５μｍ及びＲ（Δｎｄ）＝０．３の場合において、電極幅（櫛歯部の幅）に対する明るさ（透磁率）を評価している。図１１に示す配列ピッチ（スリットピッチ）ｐが５．５μｍであって、かつ幅ｗ２が２．２５μｍ、２．５μｍ、２．７５μｍ及び３μｍの場合の最大透過率を比較すると、図３４に示すように、図１１に示す幅ｗ２が２．２５μｍ、２．５μｍ及び２．７５μｍの場合は、最大透過率が変化しにくいことが分かる。配列ピッチ（スリットピッチ）ｐに対して、幅ｗ２を２．７５μｍ以下とすることで、製造によるばらつきの影響を低減できる。このため、実施形態１に係る櫛歯部１３１ａ又は櫛歯部１３１ｂは、電極基部１３２の突出開始位置ｘ０におけるＹ方向の幅ｗ２が、隣り合う櫛歯部１３１ａ又は櫛歯部１３１ｂの配列ピッチｐに０．５を乗じた数よりも小さい。そして、例えば、実施形態１に係る櫛歯部１３１ａ又は櫛歯部１３１ｂは、電極基部１３２の突出開始位置ｘ０におけるＹ方向の幅ｗ２が、隣り合う櫛歯部１３１ａ又は櫛歯部１３１ｂの配列ピッチｐに０．５を乗じた数よりも小さい場合、最大透過率の変動を小さくできる。
【０１３７】
図３５は、櫛歯部の幅が３μｍの透過率を明るさ１と規格化した場合、複数の櫛歯部の幅と電圧との関係について説明するための説明図である。図３６は、図３５を部分的に拡大した部分拡大図である。評価例６の評価結果を基礎として、図１１に示す幅ｗ２が２．２５μｍ、２．５μｍ及び２．７５μｍの場合、印加する電圧との関係を評価すると、図１１に示す幅ｗ２が２．２５μｍ及び２．５μｍの場合、電圧のシフト量が小さいことが分かった。図３６に示すように、図１１に示す幅ｗ２が２．２５μｍ及び２．５μｍのグラフはほぼ重なっていることが分かる。評価例６の評価結果より、実施形態１に係る櫛歯部１３１ａ又は櫛歯部１３１ｂは、電極基部１３２の突出開始位置ｘ０におけるＹ方向の幅ｗ２が、隣り合う櫛歯部１３１ａ又は櫛歯部１３１ｂの配列ピッチｐに０．４５を乗じた数よりも小さいことが好ましいことが分かる。この構造により、櫛歯部１３１ａ又は櫛歯部１３１ｂに加える電圧に対し、透過率の変動が小さいＹ方向の幅ｗ２にすることができる。この結果、同じ電圧が加わった櫛歯部１３１ａ又は櫛歯部１３１ｂに対して、上述したＹ方向の幅ｗ２が変動しても、画素Ｖｐｉｘを光が透過する最大透過率の低下が小さくなる。
【０１３８】
＜２．適用例＞
次に、図３７乃至図４５を参照して、実施形態１、２及びこれらの変形例で説明した表示装置１の適用例について説明する。以下、実施形態１、２及びこれらの変形例を本実施形態として説明する。図３７乃至図４５は、本実施形態に係る液晶表示装置を適用する電子機器の一例を示す図である。本実施形態に係る表示装置１は、携帯電話、スマートフォン等の携帯端末装置、テレビジョン装置、デジタルカメラ、ノート型パーソナルコンピュータ、ビデオカメラ、或いは、車両に設けられるメータ類などのあらゆる分野の電子機器に適用することが可能である。言い換えると、本実施形態に係る表示装置１は、外部から入力された映像信号或いは内部で生成した映像信号を、画像或いは映像として表示するあらゆる分野の電子機器に適用することが可能である。電子機器は、表示装置１に映像信号を供給し、表示装置１の動作を制御する制御装置を備える。
【０１３９】
（適用例１）
図３７に示す電子機器は、本実施形態に係る表示装置１が適用されるテレビジョン装置である。このテレビジョン装置は、例えば、フロントパネル５１１及びフィルターガラス５１２を含む映像表示画面部５１０を有しており、この映像表示画面部５１０は、本実施形態に係る表示装置１である。
【０１４０】
（適用例２）
図３８及び図３９に示す電子機器は、本実施形態に係る表示装置１が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態に係る表示装置１である。図３９に示すように、このデジタルカメラは、レンズカバー５２５を有しており、レンズカバー５２５をスライドさせることで撮影レンズが現れる。デジタルカメラは、その撮影レンズから入射する光を撮像することで、デジタル写真を撮影することができる。
【０１４１】
（適用例３）
図４０に示す電子機器は、本実施形態に係る表示装置１が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態に係る表示装置１である。
【０１４２】
（適用例４）
図４１に示す電子機器は、本実施形態に係る表示装置１が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態に係る表示装置１である。
【０１４３】
（適用例５）
図４２及び図４３に示す電子機器は、表示装置１が適用される携帯電話機である。図４２は携帯電話機を開いた状態での正面図である。図４３は携帯電話機を折りたたんだ状態での正面図である。当該携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。当該ディスプレイ５５４は、表示装置１が取り付けられている。このため、当該携帯電話機のディスプレイ５５４は、画像を表示する機能の他に、タッチ動作を検出する機能を有していてもよい。
【０１４４】
（適用例６）
図４４に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、本実施形態に係る表示装置１である。
【０１４５】
（適用例７）
図４５は、本実施形態に係るメータユニットの概略構成図である。図４５に示す電子機器は、車両に搭載されるメータユニットである。図４５に示すメータユニット（電子機器）５７０は、燃料計、水温計、スピードメータ、タコメータ等、複数の上述した本実施形態に係る表示装置１を液晶表示装置５７１として備えている。そして、複数の液晶表示装置５７１は、ともに、一枚の外装パネル５７２に覆われている。
【０１４６】
図４５に示す液晶表示装置５７１それぞれは、液晶表示手段としての液晶パネル５７３及びアナログ表示手段としてのムーブメント機構を互いに組み合わせた構成となっている。当該ムーブメント機構は、駆動手段としてのモータと、モータにより回転される指針５７４とを有している。そして、図４５に示すように、液晶表示装置５７１では、液晶パネル５７３の表示面に目盛表示、警告表示等を表示することができるとともに、ムーブメント機構の指針５７４が液晶パネル５７３の表示面側において回転することが可能となっている。
【０１４７】
なお図４５では、一枚の外装パネル５７２に複数の液晶表示装置５７１を設けた構成としたが、これに限定されない。外装パネル５７２によって囲まれた領域に１つの液晶表示装置５７１を設け、当該液晶表示装置に燃料計、水温計、スピードメータ、タコメータ等を表示させてもよい。
【０１４８】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったものは、又は、工程の追加、省略若しくは条件変更を行ったものも、本発明の要旨を備えている限り、本発明の範囲に含まれる。また、本実施形態において述べた態様によりもたらされる他の作用効果について本明細書記載から明らかなもの、又は当業者において適宜想到し得るものついては、当然に本発明によりもたらされるものと解される。
【符号の説明】
【０１４９】
１  表示装置
２  表示パネル
２１  表示エリア部
２２  垂直ドライバ
２３  水平ドライバ
７０Ａ  画素基板
７０Ｂ  対向基板
７０Ｃ  液晶層
７１  ＴＦＴ基板
７２  ガラス基板
７３ａ  第１配向膜
７３ｂ  第２配向膜
７４  絶縁層
７６ｂ  開口部
９０  ドレイン電極
９０Ｈ  コンタクト
９１  ソース電極
９２  半導体層
９３  ゲート電極
１３１  櫛歯部
１３１ａ  櫛歯部
１３１ｂ  櫛歯部
１３１ｃ  櫛歯部
１３１ｄ  櫛歯部
１３４  櫛歯部
ＣＯＭ  共通電極
Ｌ０  トータルスリット長
Ｌｃｍ  液晶分子
ＬＣＱ  液晶回転方向
ＯＲＩ  配向方向
Ｓ  スリット
Ｓｗ  最端スリット
Ｖｐｉｘ  画素
【図１】
2015114493.tif 000003
【図２】
2015114493.tif 000004
【図３】
2015114493.tif 000005
【図４】
2015114493.tif 000006
【図５】
2015114493.tif 000007
【図６】
2015114493.tif 000008
【図７】
2015114493.tif 000009
【図８】
2015114493.tif 000010
【図９】
2015114493.tif 000011
【図１０】
2015114493.tif 000012
【図１１】
2015114493.tif 000013
【図１２】
2015114493.tif 000014
【図１３】
2015114493.tif 000015
【図１４】
2015114493.tif 000016
【図１５】
2015114493.tif 000017
【図１６】
2015114493.tif 000018
【図１７】
2015114493.tif 000019
【図１８】
2015114493.tif 000020
【図１９】
2015114493.tif 000021
【図２０】
2015114493.tif 000022
【図２１】
2015114493.tif 000023
【図２２】
2015114493.tif 000024
【図２３】
2015114493.tif 000025
【図２４】
2015114493.tif 000026
【図２５】
2015114493.tif 000027
【図２６】
2015114493.tif 000028
【図２７】
2015114493.tif 000029
【図２８】
2015114493.tif 000030
【図２９】
2015114493.tif 000031
【図３０】
2015114493.tif 000032
【図３１】
2015114493.tif 000033
【図３２】
2015114493.tif 000034
【図３３】
2015114493.tif 000035
【図３４】
2015114493.tif 000036
【図３５】
2015114493.tif 000037
【図３６】
2015114493.tif 000038
【図３７】
2015114493.tif 000039
【図３８】
2015114493.tif 000040
【図３９】
2015114493.tif 000041
【図４０】
2015114493.tif 000042
【図４１】
2015114493.tif 000043
【図４２】
2015114493.tif 000044
【図４３】
2015114493.tif 000045
【図４４】
2015114493.tif 000046
【図４５】
2015114493.tif 000047